(57)【要約】  本開示は、復調基準信号の伝送方法及びネットワーク装置を開示し、該方法は、トラフィックチャネルのマッピングタイプ、伝送されるシンボル数及び復調基準信号ＤＭＲＳのシンボル数に基づいて、対応するＤＭＲＳをトラフィックチャネルに設定するか否かを決定することと、対応するＤＭＲＳをトラフィックチャネルに設定すると決定したとき、トラフィックチャネルに目標数のＤＭＲＳを設定することと、目標数のＤＭＲＳをターゲット伝送リソースにマッピングして伝送することとを含む。【選択図】  図３
2021510263.tif 000002
【特許請求の範囲】
【請求項１】
ネットワーク装置側に適用される復調基準信号の伝送方法であって、
トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定することと、
対応するＤＭＲＳを前記トラフィックチャネルに設定すると決定したとき、前記トラフィックチャネルに目標数のＤＭＲＳを設定することと、
前記目標数のＤＭＲＳをターゲット伝送リソースにマッピングして伝送することとを含む、復調基準信号の伝送方法。
【請求項２】
前記トラフィックチャネルのマッピングタイプが第１のマッピングタイプであり、かつＤＭＲＳのシンボル数が１である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１又は２である第１の値であるとき、対応するＤＭＲＳを前記トラフィックチャネルに設定しないと決定すること、
前記トラフィックチャネルで伝送されるシンボル数が３又は４である第２の値であるとき、制御チャネル、ガードインターバル及び予約リソースのうち少なくとも１つが占める総リソースのシンボル数が第２の値以上であれば、対応するＤＭＲＳを前記トラフィックチャネルに設定せず、第２の値以上でなければ、シンボル数が１である１つのＤＭＲＳを前記トラフィックチャネルに設定すると決定すること、及び
前記トラフィックチャネルで伝送されるシンボル数が５、６又は７である第３の値であるとき、シンボル数が１である１つのＤＭＲＳを前記トラフィックチャネルに設定すると決定することのうち少なくとも１つを含む、請求項１に記載の復調基準信号の伝送方法。
【請求項３】
前記トラフィックチャネルのマッピングタイプが第１のマッピングタイプであり、かつＤＭＲＳのシンボル数が２である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１〜５のいずれかである第４の値であるとき、対応するＤＭＲＳを前記トラフィックチャネルに設定しないと決定すること、及び
前記トラフィックチャネルで伝送されるシンボル数が６又は７である第５の値であるとき、シンボル数が２である１つのＤＭＲＳを前記トラフィックチャネルに設定すると決定することのうち少なくとも１つを含む、請求項１に記載の復調基準信号の伝送方法。
【請求項４】
前記目標数のＤＭＲＳをターゲット伝送リソースにマッピングして伝送するステップは、
前記トラフィックチャネルに設定された１つのＤＭＲＳを、前記トラフィックチャネルが位置するタイムスロットの２番目又は３番目のシンボルにマッピングして伝送することを含む、請求項２又は３に記載の復調基準信号の伝送方法。
【請求項５】
前記トラフィックチャネルのマッピングタイプが第２のマッピングタイプであり、かつＤＭＲＳのシンボル数が１である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１〜５のいずれかである第６の値であるとき、シンボル数が１である１つのＤＭＲＳを前記トラフィックチャネルに設定すると決定すること、及び
前記トラフィックチャネルで伝送されるシンボル数が６又は７である第７の値であるとき、シンボル数が１である１つ又は２つのＤＭＲＳを前記トラフィックチャネルに設定すると決定することのうち少なくとも１つを含む、請求項１に記載の復調基準信号の伝送方法。
【請求項６】
前記トラフィックチャネルのマッピングタイプが第２のマッピングタイプであり、かつＤＭＲＳのシンボル数が２である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１〜５のいずれかである第８の値であるとき、対応するＤＭＲＳを前記トラフィックチャネルに設定しないと決定すること、及び
前記トラフィックチャネルで伝送されるシンボル数が６又は７である第９の値であるとき、シンボル数が２である１つのＤＭＲＳを前記トラフィックチャネルに設定すると決定することのうち少なくとも１つを含む、請求項１に記載の復調基準信号の伝送方法。
【請求項７】
前記目標数のＤＭＲＳをターゲット伝送リソースにマッピングして伝送するステップは、
目標数が１であるとき、前記トラフィックチャネルに設定された１つのＤＭＲＳを、前記トラフィックチャネルが位置する、１つのタイムスロットより少ないシンボルを占めるタイムドメイン伝送ユニットの０番目のシンボルにマッピングして伝送することと、
目標数が２であるとき、前記トラフィックチャネルに設定された２つのＤＭＲＳのうち第１のＤＭＲＳを、前記トラフィックチャネルが位置するタイムドメイン伝送ユニットの０番目のシンボルにマッピングして伝送し、２つのＤＭＲＳのうち第２のＤＭＲＳを、前記トラフィックチャネルが位置するタイムドメイン伝送ユニットの４番目のシンボルにマッピングして伝送することとを含む、請求項５又は６に記載の復調基準信号の伝送方法。
【請求項８】
前記目標数のＤＭＲＳをターゲット伝送リソースにマッピングして伝送するステップは、
目標数が１であるとき、制御チャネル又は予約リソースが占めるリソースと、前記トラフィックチャネルが占めるリソースの少なくとも一部とが重なれば、前記目標数のＤＭＲＳを前記制御チャネル又は予約リソースの後に位置する１番目のシンボルにマッピングすることを含む、請求項５に記載の復調基準信号の伝送方法。
【請求項９】
前記目標数のＤＭＲＳをターゲット伝送リソースにマッピングして伝送するステップは、
目標数が２であるとき、制御チャネル又は予約リソースが占めるリソースと、前記トラフィックチャネルが占めるリソースの少なくとも一部とが重なれば、前記トラフィックチャネルに設定された２つのＤＭＲＳのうち第１のＤＭＲＳを、前記制御チャネル又は予約リソースの後に位置する１番目のシンボルである第１のターゲット伝送リソースにマッピングして伝送することと、
２つのＤＭＲＳのうち第２のＤＭＲＳを、前記第１のターゲット伝送リソースの後に位置しかつ前記第１のターゲット伝送リソースの後の４番目のシンボルである第２のターゲット伝送リソースにマッピングし、もし前記第２のターゲット伝送リソースが前記トラフィックチャネルが占めるリソースの後に位置すれば、前記第２のＤＭＲＳを廃棄し、その後に位置しなければ、前記第２のターゲット伝送リソースにより第２のＤＭＲＳの伝送を行うこととを含む、請求項５に記載の復調基準信号の伝送方法。
【請求項１０】
前記トラフィックチャネルは、物理アップリンク共有チャネルＰＵＳＣＨ又は物理ダウンリンク共有チャネルＰＤＳＣＨを含む、請求項１に記載の復調基準信号の伝送方法。
【請求項１１】
前記トラフィックチャネルがＰＤＳＣＨであり、かつ前記ＰＤＳＣＨのマッピングタイプが第２のマッピングタイプである場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記ＰＤＳＣＨで伝送されるシンボル数が８である第１０の値であるとき、シンボル数が１である１つ又は２つのＤＭＲＳを前記ＰＤＳＣＨに設定するか又はシンボル数が２である１つのＤＭＲＳを前記ＰＤＳＣＨに設定すると決定すること、及び
前記ＰＤＳＣＨで伝送されるシンボル数が９〜１３のいずれかである第１１の値であるとき、第１のマッピングタイプのＤＭＲＳ設定に従ってＤＭＲＳを前記ＰＤＳＣＨに設定すると決定することのうち少なくとも１つを含む、請求項１０に記載の復調基準信号の伝送方法。
【請求項１２】
前記ＰＤＳＣＨで伝送されるシンボル数が第１０の値である場合、前記目標数のＤＭＲＳをターゲット伝送リソースにマッピングして伝送するステップは、
目標数が１であるとき、前記ＰＤＳＣＨに設定された１つのＤＭＲＳを、前記ＰＤＳＣＨが位置する、１つのタイムスロットより少ないシンボルを占めるタイムドメイン伝送ユニットの０番目のシンボルにマッピングして伝送すること、及び
目標数が２であるとき、前記ＰＤＳＣＨに設定された２つのＤＭＲＳのうち第１のＤＭＲＳを、前記ＰＤＳＣＨが位置するタイムドメイン伝送ユニットの０番目のシンボルにマッピングして伝送し、２つのＤＭＲＳのうち第２のＤＭＲＳを、前記ＰＤＳＣＨが位置するタイムドメイン伝送ユニットの４番目のシンボルにマッピングして伝送することのうち少なくとも１つを含む、請求項１１に記載の復調基準信号の伝送方法。
【請求項１３】
前記トラフィックチャネルがＰＤＳＣＨであり、かつ前記ＰＤＳＣＨのマッピングタイプが第２のマッピングタイプである場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記ＰＤＳＣＨで伝送されるシンボル数が８〜１１のいずれかである第１２の値であるとき、シンボル数が１である１つ、２つ又は３つのＤＭＲＳを前記ＰＤＳＣＨに設定すると決定すること、及び
前記ＰＤＳＣＨで伝送されるシンボル数が１２又は１３である第１３の値であるとき、シンボル数が１である１つ、２つ、３つ又は４つのＤＭＲＳを前記ＰＤＳＣＨに設定すると決定することのうち少なくとも１つを含む、請求項１０に記載の復調基準信号の伝送方法。
【請求項１４】
前記目標数のＤＭＲＳをターゲット伝送リソースにマッピングして伝送するステップは、
目標数が１であるとき、前記ＰＤＳＣＨに設定された１つのＤＭＲＳを、前記ＰＤＳＣＨが位置する、１つのタイムスロットより少ないシンボルを占めるタイムドメイン伝送ユニットの０番目のシンボルにマッピングして伝送すること、及び
目標数が２以上であるとき、前記ＰＤＳＣＨに設定された２つのＤＭＲＳの第１のＤＭＲＳを、前記ＰＤＳＣＨが位置するタイムドメイン伝送ユニットの０番目のシンボルにマッピングして伝送し、目標数のＤＭＲＳのうち最後から１番目のＤＭＲＳを、前記ＰＤＳＣＨが位置するタイムドメイン伝送ユニットの最後から２番目又は３番目のシンボルにマッピングして伝送し、目標数のＤＭＲＳのうち他のＤＭＲＳを１番目のＤＭＲＳと最後から１番目のＤＭＲＳとの間の等間隔のシンボルにマッピングして伝送することのうち少なくとも１つを含む、請求項１３に記載の復調基準信号の伝送方法。
【請求項１５】
前記目標数のＤＭＲＳのうち最後から１番目のＤＭＲＳを、前記ＰＤＳＣＨが位置するタイムドメイン伝送ユニットの最後から２番目又は３番目のシンボルにマッピングして伝送するステップは、
前記ＰＤＳＣＨで伝送されるシンボル数が８、１０又は１２であるとき、目標数のＤＭＲＳのうち最後から１番目のＤＭＲＳを、前記ＰＤＳＣＨが位置するタイムドメイン伝送ユニットの最後から２番目のシンボルにマッピングして伝送すること、及び
前記ＰＤＳＣＨで伝送されるシンボル数が９、１１又は１３であるとき、目標数のＤＭＲＳのうち最後から１番目のＤＭＲＳを、前記ＰＤＳＣＨが位置するタイムドメイン伝送ユニットの最後から３番目のシンボルにマッピングして伝送することのうち少なくとも１つを含む、請求項１４に記載の復調基準信号の伝送方法。
【請求項１６】
前記トラフィックチャネルがＰＤＳＣＨであり、かつ前記ＰＤＳＣＨのマッピングタイプが第２のマッピングタイプである場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記ＰＤＳＣＨで伝送されるシンボル数が８〜１３のいずれかである第１４の値であるとき、シンボル数が２である１つ又は２つのＤＭＲＳを前記ＰＤＳＣＨに設定すると決定することを含む、請求項１０に記載の復調基準信号の伝送方法。
【請求項１７】
前記目標数のＤＭＲＳをターゲット伝送リソースにマッピングして伝送するステップは、
目標数が１であるとき、前記ＰＤＳＣＨに設定された１つのＤＭＲＳを、前記ＰＤＳＣＨが位置する、１つのタイムスロットより少ないシンボルを占めるタイムドメイン伝送ユニットの０番目のシンボルにマッピングして伝送すること、及び
目標数が２であるとき、前記ＰＤＳＣＨに設定された２つのＤＭＲＳのうち第１のＤＭＲＳを、前記ＰＤＳＣＨが位置するタイムドメイン伝送ユニットの０番目のシンボルにマッピングして伝送し、２つのＤＭＲＳのうち第２のＤＭＲＳを、前記ＰＤＳＣＨが位置するタイムドメイン伝送ユニットの最後から３番目又は４番目のシンボルにマッピングして伝送することのうち少なくとも１つを含む、請求項１６に記載の復調基準信号の伝送方法。
【請求項１８】
２つのＤＭＲＳのうち第２のＤＭＲＳを、前記ＰＤＳＣＨが位置するタイムドメイン伝送ユニットの最後から３番目又は４番目のシンボルにマッピングして伝送するステップは、
前記ＰＤＳＣＨで伝送されるシンボル数が８、１０又は１２であるとき、２つのＤＭＲＳのうち第２のＤＭＲＳを、前記ＰＤＳＣＨが位置するタイムドメイン伝送ユニットの最後から３番目のシンボルにマッピングして伝送すること、及び
前記ＰＤＳＣＨで伝送されるシンボル数が９、１１又は１３であるとき、２つのＤＭＲＳのうち第２のＤＭＲＳを、前記ＰＤＳＣＨが位置するタイムドメイン伝送ユニットの最後から４番目のシンボルにマッピングして伝送することのうち少なくとも１つを含む、請求項１７に記載の復調基準信号の伝送方法。
【請求項１９】
前記目標数のＤＭＲＳをターゲット伝送リソースにマッピングして伝送するステップは、
前記目標数のＤＭＲＳをそれぞれ目標数のターゲット伝送サブリソースにマッピングすることと、
少なくとも一部のリソースが前記トラフィックチャネルが占めるリソースの後に位置するターゲット伝送サブリソースに対応するＤＭＲＳを廃棄することとを含む、請求項１に記載の復調基準信号の伝送方法。
【請求項２０】
目標数のＤＭＲＳを前記トラフィックチャネルに設定するステップは、
前記トラフィックチャネルのマッピングタイプ、伝送されるシンボル数、復調基準信号ＤＭＲＳのシンボル数、及び制御チャネル、ガードインターバル及び予約リソースのうち少なくとも１つが占める総リソースのシンボル数に基づいて、前記トラフィックチャネルに設定するＤＭＲＳの目標数を決定し、対応するＤＭＲＳを前記トラフィックチャネルに設定することを含む、請求項１に記載の復調基準信号の伝送方法。
【請求項２１】
トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定する決定モジュールと、
対応するＤＭＲＳを前記トラフィックチャネルに設定すると決定したとき、前記トラフィックチャネルに目標数のＤＭＲＳを設定する設定モジュールと、
前記目標数のＤＭＲＳをターゲット伝送リソースにマッピングして伝送する伝送モジュールとを含む、ネットワーク装置。
【請求項２２】
プロセッサと、メモリと、前記メモリに記憶され前記プロセッサで動作可能なコンピュータプログラムとを含むネットワーク装置であって、
前記コンピュータプログラムが前記プロセッサによって実行されると、請求項１〜２０のいずれか１項に記載の復調基準信号の伝送方法のステップを実現される、ネットワーク装置。
【請求項２３】
コンピュータプログラムが記憶さいるコンピュータ読み取り可能な記憶媒体であって、
前記コンピュータプログラムがプロセッサによって実行されると、請求項１〜２０のいずれか１項に記載の復調基準信号の伝送方法のステップが実現される、コンピュータ読み取り可能な記憶媒体。
【発明の詳細な説明】
【技術分野】
【０００１】
本願は、２０１８年１月９日に中国特許庁に提出された中国特許出願第２０１８１００１９９４６．０号の優先権を主張し、その全ての内容が援用によりここに取り込まれる。
本開示は、通信の技術分野に関し、特に復調基準信号の伝送方法及びネットワーク装置に関する。
【背景技術】
【０００２】
第五世代（５ｔｈ  Ｇｅｎｅｒａｔｉｏｎ、５Ｇ）移動通信システムは、モバイル拡張帯域幅、低遅延・高信頼性及び大規模マシン通信接続サービスをサポートする。遅延及び信頼性などの性能指標に対する様々なサービスの需要に適応するために、ネットワークは、タイムスロットに基づくスケジューリングと非タイムスロットに基づくスケジューリングをサポートする。それに応じて、アップリンク及びダウンリンクのトラフィックチャネルの復調基準信号（Ｄｅｍｏｄｕｌａｔｉｏｎ  Ｒｅｆｅｒｅｎｃｅ  Ｓｉｇｎａｌ、ＤＭＲＳ）は、タイプＡ及びタイプＢのマッピングをサポートする。また、低周波と高周波、低速と高速などの異なるシーンに適応するために、アップリンク及びダウンリンクのトラフィックチャネルの復調基準信号に対して１つ又は２つのシンボルを設定することができる。
【０００３】
物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）のＤＭＲＳが、マッピングタイプＡを採用すれば、基準点はタイムスロットの０番目のシンボルであり、第１のＰＵＳＣＨのＤＭＲＳの開始位置ｌ０は２番目又は３番目のシンボルに設定することができる。第１のＰＵＳＣＨのＤＭＲＳがマッピングタイプＡを採用する場合、位置は図１に示すとおりである可能性がある。マッピングタイプＢを採用すれば、基準点はタイムスロットの０番目のシンボルであり、第１のＰＵＳＣＨのＤＭＲＳの開始位置ｌ０はＰＵＳＣＨの０番目のシンボルである。第１のＰＵＳＣＨのＤＭＲＳがマッピングタイプＢを採用する場合、位置は図２に示すとおりである可能性がある。
【０００４】
ＰＵＳＣＨのＤＭＲＳが１つのシンボルがあるとき、第１のＰＵＳＣＨのＤＭＲＳ以外のＤＭＲＳの数は異なるシーンに応じて設定することができ、以下の表１に示すとおりである。
【０００５】
【表１】
2021510263.tif 000003
【０００６】
ＰＵＳＣＨのＤＭＲＳが２つのシンボルがあるとき、第１のＰＵＳＣＨのＤＭＲＳ以外の残りのＤＭＲＳの数は異なるシーンに応じて設定することができ、以下の表２に示すとおりである。
【０００７】
【表２】
2021510263.tif 000004
【０００８】
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）のＤＭＲＳが、マッピングタイプＡを採用すれば、基準点はタイムスロットの１番目のシンボルであり、第１のＰＤＳＣＨのＤＭＲＳの開始位置は２番目又は３番目のシンボルに設定することができる。マッピングタイプＢを採用すれば、基準点はＰＤＳＣＨの１番目のシンボルであり、第１のＰＤＳＣＨのＤＭＲＳの開始位置はＰＤＳＣＨの１番目のシンボルである。
【０００９】
ＰＤＳＣＨのＤＭＲＳが１つのシンボルがあるとき、第１のＰＤＳＣＨのＤＭＲＳ以外のＤＭＲＳの数は異なるシーンに応じて設定することができ、以下の表３に示すとおりである。
【００１０】
【表３】
2021510263.tif 000005
【００１１】
ＰＤＳＣＨのＤＭＲＳが２つのシンボルがあるとき、第１のＰＤＳＣＨのＤＭＲＳ以外のＤＭＲＳの数は異なるシーンに応じて設定することができ、以下の表４に示すとおりである。
【００１２】
【表４】
2021510263.tif 000006
【００１３】
マッピングタイプＢについて、ＰＤＳＣＨで伝送されるシンボル数が２、４又は７であるとき、一部のＰＤＳＣＨが予約した制御ドメインリソースと衝突すると、第１のＰＤＳＣＨのＤＭＲＳは制御ドメインの後の１番目のシンボルに位置する。
【００１４】
関連技術において、ＰＵＳＣＨのＤＭＲＳ位置について、ＰＵＳＣＨで伝送されるシンボル数が７よりも小さい場合、例えば、ＰＵＳＣＨで伝送されるシンボル数が１である場合、マッピングタイプＡを採用すれば、該ＰＵＳＣＨのＤＭＲＳを２番目又は３番目のシンボルにマッピングし、ＰＵＳＣＨ伝送が終了した後、ＰＵＳＣＨのＤＭＲＳを伝送し始めることにより、遅延トラフィックの復調性能が低下し、更に正しく受信できなくなる恐れがある。同様に、関連技術において、ＰＤＳＣＨのＤＭＲＳ位置について、ＰＤＳＣＨで伝送されるシンボル数が７よりも小さい場合、ＰＵＳＣＨのＤＭＲＳと類似する問題がある。
【発明の概要】
【発明が解決しようとする課題】
【００１５】
第１方面において、本開示の実施例は、ネットワーク装置側に適用される復調基準信号の伝送方法であって、
トラフィックチャネルのマッピングタイプ、伝送されるシンボル数及び復調基準信号ＤＭＲＳのシンボル数に基づいて、対応するＤＭＲＳを上記トラフィックチャネルに設定するか否かを決定することと、
対応するＤＭＲＳを上記トラフィックチャネルに設定すると決定したとき、上記トラフィックチャネルに目標数のＤＭＲＳを設定することと、
上記目標数のＤＭＲＳをターゲット伝送リソースにマッピングして伝送することとを含む、復調基準信号の伝送方法を提供する。
【００１６】
第２方面において、本開示の実施例は、さらに、
トラフィックチャネルのマッピングタイプ、伝送されるシンボル数及び復調基準信号ＤＭＲＳのシンボル数に基づいて、対応するＤＭＲＳを上記トラフィックチャネルに設定するか否かを決定する決定モジュールと、
対応するＤＭＲＳを上記トラフィックチャネルに設定すると決定したとき、上記トラフィックチャネルに目標数のＤＭＲＳを設定する設定モジュールと、
上記目標数のＤＭＲＳをターゲット伝送リソースにマッピングして伝送する伝送モジュールとを含むネットワーク装置を提供する。
【００１７】
第３方面において、本開示の実施例は、プロセッサと、メモリと、前記メモリに記憶され前記プロセッサで動作可能なコンピュータプログラムとを含むネットワーク装置であって、
前記コンピュータプログラムが前記プロセッサによって実行されると、請求項１〜２０のいずれか１項に記載の復調基準信号の伝送方法のステップを実現される、ネットワーク装置を提供する。
【００１８】
第４方面において、本開示の実施例は、コンピュータプログラムが記憶さいるコンピュータ読み取り可能な記憶媒体であって、
前記コンピュータプログラムがプロセッサによって実行されると、請求項１〜２０のいずれか１項に記載の復調基準信号の伝送方法のステップが実現される、コンピュータ読み取り可能な記憶媒体を提供する。
【００１９】
本開示の実施例の技術的解決手段をより明確に説明するために、以下、本開示の実施例の説明に必要な図面を簡単に説明し、明らかに、以下に説明される図面は、本開示のいくつかの実施例にすぎず、当業者であれば、創造的な労力をすることなく、これらの図面に基づいて他の図面を得ることができる。
【図面の簡単な説明】
【００２０】
【図１】関連技術における、ＰＵＳＣＨが第１のマッピングタイプを採用する場合のＤＭＲＳのリソースマッピングを示す概略図である。
【図２】関連技術における、ＰＵＳＣＨが第２のマッピングタイプを採用する場合のＤＭＲＳのリソースマッピングを示す概略図である。
【図３】本開示の実施例に係る復調基準信号の伝送方法の流れを示す概略図である。
【図４】本開示の実施例に係るネットワーク装置のモジュール構成を示す概略図である。
【図５】本開示の実施例に係るネットワーク装置を示すブロック図である。
【発明を実施するための形態】
【００２１】
以下、図面を参照しながら本開示の例示的な実施例をより詳細に説明する。図面には本開示の例示的な実施例が示されるが、本開示は様々な形態で実現することができ、本明細書に説明した実施例によって限定されないと理解すべきである。逆に、これらの実施例を提供するのは、本開示がさらに徹底的に理解され、本開示の範囲が完全に当業者に伝えられるようにするためである。
【００２２】
本願の明細書及び特許請求の範囲における用語「第１」、「第２」などは、類似する要素を区別するためのものであり、必ずしも特定の順序又は優先順位を説明するためのものではない。本明細書に説明した本願の実施例が例えば本明細書の図示又は説明以外の順序でも実施できるように、このように用いられたデータは適宜入れ替えてもよいと理解すべきである。また、用語「含む」、「備える」及びそれらのいかなる変形は、非排他的な包含をカバーすることを意図され、例えば、一連のステップ又はユニットを含む過程、方法、システム、製品又は設備は、明確に挙げたステップ又はユニットに限定されず、明確に挙げていないか又はこれらの過程、方法、システム、製品又は設備に固有の他のステップ又はユニットを含んでもよい。また、明細書及び特許請求の範囲において「及び／又は」を用いるのは、接続対象の少なくとも１つを表し、例えば、Ａ及び／又はＢ及び／又はＣは、Ａだけが存在し、Ｂだけが存在し、Ｃだけが存在し、Ａ及びＢが共に存在し、Ｂ及びＣが共に存在し、Ａ及びＣが共に存在し、Ａ、Ｂ及びＣが共に存在するという７種類の場合を表す。一方、本開示の実施例に係る順序は、いずれも０番目から数えるものである。
【００２３】
本開示の実施例は、関連技術におけるＤＭＲＳ伝送方法による、低遅延トラフィックの復調性能が低いという問題を解決するために、復調基準信号の伝送方法及びネットワーク装置を提供する。
【００２４】
本開示の実施例は、ネットワーク装置側に適用される復調基準信号の伝送方法を提供し、図３に示すように、該方法は、以下のステップ３１〜３３を含む。
【００２５】
ステップ３１：トラフィックチャネルのマッピングタイプ、伝送されるシンボル数及び復調基準信号ＤＭＲＳのシンボル数に基づいて、対応するＤＭＲＳをトラフィックチャネルに設定するか否かを決定する。
【００２６】
トラフィックチャネルのマッピングタイプは、第１のマッピングタイプ及び第２のマッピングタイプを含む。第１のマッピングタイプは、タイムスロットに基づくスケジューリングのマッピングタイプＡであり、すなわち第１のマッピングタイプで、タイムドメイン伝送ユニットは、１４個のシンボル（タイムドメインシンボル、ＯＦＤＭシンボルとも呼ばれる）を含む１つのタイムスロットであり、第２のマッピングタイプは、非タイムスロットに基づくスケジューリングのマッピングタイプＢであり、すなわち第２のマッピングタイプで、タイムドメイン伝送ユニットは１つのタイムスロットではなく、１つのタイムドメイン伝送ユニットに含まれるシンボル数は１４ではない。さらに、第２のマッピングタイプでのタイムドメイン伝送ユニットが占めるシンボル数は１４よりも小さい。トラフィックチャネルは、物理アップリンク共有チャネルＰＵＳＣＨ又は物理ダウンリンク共有チャネルＰＤＳＣＨを含む。トラフィックチャネルで伝送されるシンボル数は、トラフィックチャネルが占めるタイムドメイン伝送リソースのサイズであり、復調基準信号のシンボル数は、１つの復調基準信号が占めるタイムドメイン伝送リソースのサイズである。
【００２７】
ステップ３２：対応するＤＭＲＳをトラフィックチャネルに設定すると決定したとき、トラフィックチャネルに目標数のＤＭＲＳを設定する。
【００２８】
好ましくは、目標数は、トラフィックチャネルのマッピングタイプ及び伝送されるシンボル数と関連する。
【００２９】
ステップ３３：目標数のＤＭＲＳをターゲット伝送リソースにマッピングして伝送する。
【００３０】
なお、本明細書に記載した伝送は、アップリンク伝送とダウンリンク伝送の両方を含む。
【００３１】
以下、異なる応用シーンを踏まえて本開示の実施例に係るＤＭＲＳの伝送方法をさらに説明する。
【００３２】
トラフィックチャネルのマッピングタイプが第１のマッピングタイプ（すなわちマッピングタイプＡ）であり、かつＤＭＲＳのシンボル数が１であるとき、ステップ３１は、以下の少なくとも１つを含んでよい。
【００３３】
トラフィックチャネルで伝送されるシンボル数が１又は２である第１の値であるとき、対応するＤＭＲＳをトラフィックチャネルに設定しないと決定する。端末にとって、ネットワーク側で設定された、トラフィックチャネルで伝送されるシンボル数が１又は２であることが望ましくないため、該シーンにおいて、トラフィックチャネルで伝送されるシンボル数が１又は２である設定が存在しないと理解してもよい。
【００３４】
トラフィックチャネルで伝送されるシンボル数が３又は４である第２の値であるとき、制御チャネル、ガードインターバル及び予約リソースのうち少なくとも１つが占める総リソースのシンボル数が第２の値以上であれば、対応するＤＭＲＳをトラフィックチャネルに設定せず、第２の値以上でなければ、シンボル数が１である１つのＤＭＲＳをトラフィックチャネルに設定すると決定する。制御チャネル、リソース、ガードインターバル（ガードインターバルがアップリンクのみに適用される）及び予約リソースのうち少なくとも１つが占める総シンボル数が３であると仮定すれば、端末にとって、ネットワーク側で設定された、トラフィックチャネルで伝送されるシンボル数が３であることが望ましくないため、該シーンにおいて、トラフィックチャネルで伝送されるシンボル数が３である設定が存在しないと理解してもよい。制御チャネル、ガードインターバル及び予約リソースのうち少なくとも１つが占める総シンボル数が３よりも小さく、かつネットワーク装置が設定した、トラフィックチャネルで伝送されるシンボル数が３であるとき、ネットワーク装置は、該トラフィックチャネルのＤＭＲＳを、トラフィックチャネルが位置するタイムスロットの２番目のシンボルに設定することができる。或いは、制御チャネル、ガードインターバル及び予約リソースのうち少なくとも１つが占める総シンボル数が４に等しいと仮定すれば、端末にとって、ネットワーク側で設定された、トラフィックチャネルで伝送されるシンボル数が４であることが望ましくないため、該シーンにおいて、トラフィックチャネルで伝送されるシンボル数が４である設定が存在しないと理解してもよい。制御チャネル、ガードインターバル及び予約リソースのうち少なくとも１つが占める総シンボル数が３よりも小さく、かつネットワーク装置が設定した、トラフィックチャネルで伝送されるシンボル数が４であるとき、ネットワーク装置は、該トラフィックチャネルのＤＭＲＳを、該トラフィックチャネルが位置するタイムスロットの２番目又は３番目のシンボルに設定することができる。制御チャネル、ガードインターバル及び予約リソースのうち少なくとも１つが占める総シンボル数が３に等しく、かつネットワーク装置が設定した、トラフィックチャネルで伝送されるシンボル数が４であるとき、ネットワーク装置は、該トラフィックチャネルのＤＭＲＳを、該トラフィックチャネルが位置するタイムスロットの３番目のシンボルに設定することができる。
【００３５】
トラフィックチャネルで伝送されるシンボル数が５、６又は７である第３の値であるとき、シンボル数が１である１つのＤＭＲＳをトラフィックチャネルに設定すると決定する。
【００３６】
１つの実施例では、トラフィックチャネルのマッピングタイプが第１のマッピングタイプであり、かつＤＭＲＳのシンボル数が２であるとき、ステップ３１は、以下の少なくとも１つを含んでよい。
【００３７】
トラフィックチャネルで伝送されるシンボル数が１〜５のいずれかである第４の値であるとき、対応するＤＭＲＳをトラフィックチャネルに設定しないと決定する。
【００３８】
トラフィックチャネルで伝送されるシンボル数が６又は７である第５の値であるとき、シンボル数が２である１つのＤＭＲＳをトラフィックチャネルに設定すると決定する。
【００３９】
それに応じて、ステップ３３は、トラフィックチャネルに設定された１つのＤＭＲＳを、トラフィックチャネルが位置するタイムスロットの２番目又は３番目のシンボルにマッピングして伝送することであってよい。
【００４０】
別の実施例では、トラフィックチャネルのマッピングタイプが第２のマッピングタイプであり、かつＤＭＲＳのシンボル数が１であるとき、ステップ３１は、以下の少なくとも１つを含んでもよい。
【００４１】
トラフィックチャネルで伝送されるシンボル数が１〜５のいずれかである第６の値であるとき、シンボル数が１である１つのＤＭＲＳをトラフィックチャネルに設定すると決定する。すなわち、トラフィックチャネルのＤＭＲＳが第２のマッピングタイプを採用するとき、サポートされる最大ＤＭＲＳ数が１である。ネットワーク装置が設定した、トラフィックチャネルで伝送されるシンボル数が１及び２であるとき、第１のトラフィックチャネルのＤＭＲＳはトラフィックチャネルの開始シンボルに位置し、ＤＭＲＳとトラフィックチャネルは周波数分割多重伝送を採用する。
【００４２】
トラフィックチャネルで伝送されるシンボル数が６又は７である第７の値であるとき、シンボル数が１である１つ又は２つのＤＭＲＳをトラフィックチャネルに設定すると決定する。
【００４３】
好ましくは、トラフィックチャネルのマッピングタイプが第２のマッピングタイプであり、かつＤＭＲＳのシンボル数が２であるとき、ステップ３１は、以下の少なくとも１つを含んでもよい。
【００４４】
トラフィックチャネルで伝送されるシンボル数が１〜５のいずれかである第８の値であるとき、対応するＤＭＲＳをトラフィックチャネルに設定しないと決定する。
【００４５】
トラフィックチャネルで伝送されるシンボル数が６又は７である第９の値であるとき、シンボル数が２である１つのＤＭＲＳをトラフィックチャネルに設定すると決定する。
【００４６】
それに応じて、ステップ３３は、以下を含んでよい。目標数が１であるとき、トラフィックチャネルに設定された１つのＤＭＲＳを、トラフィックチャネルが位置する、１つのタイムスロットより少ないシンボルを占めるタイムドメイン伝送ユニットの０番目のシンボルにマッピングして伝送する。目標数が２であるとき、トラフィックチャネルに設定された２つのＤＭＲＳのうち第１のＤＭＲＳを、トラフィックチャネルが位置するタイムドメイン伝送ユニットの０番目のシンボルにマッピングして伝送し、２つのＤＭＲＳのうち第２のＤＭＲＳを、トラフィックチャネルが位置するタイムドメイン伝送ユニットの４番目のシンボルにマッピングして伝送する。
【００４７】
好ましくは、ステップ３３は、以下を含んでもよい。目標数が１であるとき、制御チャネル又は予約リソースが占めるリソースと、トラフィックチャネルが占めるリソースの少なくとも一部とが重なれば、目標数のＤＭＲＳを制御チャネル又は予約リソースの後に位置する１番目のシンボルにマッピングする。ネットワーク装置が設定した、トラフィックチャネルで伝送されるシンボル数が３又は５であると仮定すれば、ネットワーク装置は、該トラフィックチャネルのＤＭＲＳをトラフィックチャネルの開始シンボルにデフォルトで設定する。制御チャネルリソース又は予約リソースと、トラフィックチャネルのＤＭＲＳ周波数ドメインとが重なれば、トラフィックチャネルのＤＭＲＳを全て制御チャネルリソース又は予約リソースの次のシンボルに移行する。
【００４８】
好ましくは、ステップ３３は、以下を含んでもよい。目標数が２であるとき、制御チャネル又は予約リソースが占めるリソースと、トラフィックチャネルが占めるリソースの少なくとも一部とが重なれば、トラフィックチャネルに設定された２つのＤＭＲＳのうち第１のＤＭＲＳを、制御チャネル又は予約リソースの後に位置する１番目のシンボルである第１のターゲット伝送リソースにマッピングして伝送し、２つのＤＭＲＳのうち第２のＤＭＲＳを、第１のターゲット伝送リソースの後に位置しかつ第１のターゲット伝送リソースの後の４番目のシンボルである第２のターゲット伝送リソースにマッピングし、もし第２のターゲット伝送リソースがトラフィックチャネルが占めるリソースの後に位置すれば、第２のＤＭＲＳを廃棄し、その後に位置しなければ、第２のターゲット伝送リソースにより第２のＤＭＲＳの伝送を行う。すなわち、制御チャネルリソース又は予約リソースがトラフィックチャネルの一部のＤＭＲＳ周波数ドメインと重なれば、該トラフィックチャネルのＤＭＲＳを全て制御チャネルリソース又は予約リソースの次のシンボルに移行し、第２のＤＭＲＳが占めるシンボルと第１のＤＭＲＳとの間の距離を４に維持する。該シーンにおいて、第２のＤＭＲＳが占めるシンボルがトラフィックチャネルで伝送されるシンボル数を超えると、第２のＤＭＲＳを廃棄する。
【００４９】
好ましくは、ステップ３２は、以下を含んでもよい。トラフィックチャネルのマッピングタイプ、伝送されるシンボル数、復調基準信号ＤＭＲＳのシンボル数、及び制御チャネル、ガードインターバル及び予約リソースのうち少なくとも１つが占める総リソースのシンボル数に基づいて、トラフィックチャネルに設定するＤＭＲＳの目標数を決定し、対応するＤＭＲＳを上記トラフィックチャネルに設定する。トラフィックチャネルで伝送されるシンボル数が６であり、かつトラフィックチャネルのＤＭＲＳ数が２であると仮定すれば、端末にとって、ネットワーク装置が設定した制御チャネル、ガードインターバル及び予約リソースのうち少なくとも１つが占める総シンボル数が１よりも大きいことが望ましくなく、トラフィックチャネルで伝送されるシンボル数が７であり、かつトラフィックチャネルのＤＭＲＳ数が２であると仮定すれば、端末にとって、ネットワーク装置が設定した制御チャネル、ガードインターバル及び予約リソースのうち少なくとも１つが占める総シンボル数が２よりも大きいことが望ましくない。
【００５０】
別の実施例では、トラフィックチャネルがＰＤＳＣＨであり、かつＰＤＳＣＨのマッピングタイプが第２のマッピングタイプである場合、ステップ３１は、以下の少なくとも１つを含んでよい。
【００５１】
ＰＤＳＣＨで伝送されるシンボル数が８である第１０の値であるとき、シンボル数が１である１つ又は２つのＤＭＲＳをＰＤＳＣＨに設定するか又はシンボル数が２である１つのＤＭＲＳをＰＤＳＣＨに設定すると決定する。すなわち、ネットワーク装置が設定した、ＰＤＳＣＨで伝送されるシンボル数が８であるとき、ＰＤＳＣＨのＤＭＲＳ位置の設定は、ＰＤＳＣＨで伝送されるシンボル数が７であり第２のマッピングタイプを採用するときの設定と一致する。
【００５２】
ＰＤＳＣＨで伝送されるシンボル数が９〜１３のいずれかである第１１の値であるとき、第１のマッピングタイプのＤＭＲＳ設定に従ってＤＭＲＳをＰＤＳＣＨに設定すると決定する。すなわち、ネットワーク側で設定された、ＰＤＳＣＨで伝送されるシンボル数が９〜１３であるとき、ＰＤＳＣＨのＤＭＲＳ位置の設定は、ＰＤＳＣＨで伝送されるシンボル数が９〜１３であり第１のマッピングタイプを採用するときの設定と一致する。
【００５３】
それに応じて、ステップ３３は、以下を含んでよい。目標数が１であるとき、ＰＤＳＣＨに設定された１つのＤＭＲＳを、ＰＤＳＣＨが位置する、１つのタイムスロットより少ないシンボルを占めるタイムドメイン伝送ユニットの０番目のシンボルにマッピングして伝送し、目標数が２であるとき、ＰＤＳＣＨに設定された２つのＤＭＲＳのうち第１のＤＭＲＳを、ＰＤＳＣＨが位置するタイムドメイン伝送ユニットの０番目のシンボルにマッピングして伝送し、２つのＤＭＲＳのうち第２のＤＭＲＳを、ＰＤＳＣＨが位置するタイムドメイン伝送ユニットの４番目のシンボルにマッピングして伝送する。
【００５４】
さらに別の実施例では、トラフィックチャネルがＰＤＳＣＨであり、かつＰＤＳＣＨのマッピングタイプが第２のマッピングタイプである場合、ステップ３１は、以下を含んでもよい。
【００５５】
ＰＤＳＣＨで伝送されるシンボル数が８〜１１のいずれかである第１２の値であるとき、シンボル数が１である１つ、２つ又は３つのＤＭＲＳをＰＤＳＣＨに設定すると決定する。
【００５６】
ＰＤＳＣＨで伝送されるシンボル数が１２又は１３である第１３の値であるとき、シンボル数が１である１つ、２つ、３つ又は４つのＤＭＲＳをＰＤＳＣＨに設定すると決定する。
【００５７】
該シーンにおいて、ステップ３３は、以下を含んでよい。
【００５８】
目標数が１であるとき、ＰＤＳＣＨに設定された１つのＤＭＲＳを、ＰＤＳＣＨが位置する、１つのタイムスロットより少ないシンボルを占めるタイムドメイン伝送ユニットの０番目のシンボルにマッピングして伝送する。
【００５９】
目標数が２以上であるとき、ＰＤＳＣＨに設定された２つのＤＭＲＳのうち第１のＤＭＲＳを、ＰＤＳＣＨが位置するタイムドメイン伝送ユニットの０番目のシンボルにマッピングして伝送し、目標数のＤＭＲＳのうち最後から１番目のＤＭＲＳを、ＰＤＳＣＨが位置するタイムドメイン伝送ユニットの最後から２番目又は３番目のシンボルにマッピングして伝送し、目標数のＤＭＲＳのうち他のＤＭＲＳを１番目のＤＭＲＳと最後から１番目のＤＭＲＳとの間の等間隔のシンボルにマッピングして伝送する。具体的には、ＰＤＳＣＨで伝送されるシンボル数が８、１０又は１２であるとき、目標数のＤＭＲＳのうち最後から１番目のＤＭＲＳを、ＰＤＳＣＨが位置するタイムドメイン伝送ユニットの最後から２番目のシンボルにマッピングして伝送し、ＰＤＳＣＨで伝送されるシンボル数が９、１１又は１３であるとき、目標数のＤＭＲＳのうち最後から１番目のＤＭＲＳを、ＰＤＳＣＨが位置するタイムドメイン伝送ユニットの最後から３番目のシンボルにマッピングして伝送する。目標数が２であると仮定すれば、ネットワーク装置が設定した、ＰＤＳＣＨで伝送されるシンボル数が８又は９であれば、第２のＤＭＲＳはシンボル識別子が６であるシンボルに位置し、ネットワーク装置が設定した、ＰＤＳＣＨで伝送されるシンボル数が１０又は１１であれば、第２のＤＭＲＳはシンボル識別子が８であるシンボルに位置し、ネットワーク装置が設定した、ＰＤＳＣＨで伝送されるシンボル数が１２又は１３であれば、第２のＤＭＲＳはシンボル識別子が１０であるシンボルに位置する。目標数が３であると仮定すれば、ネットワーク装置が設定した、ＰＤＳＣＨで伝送されるシンボル数が８又は９であれば、第２、第３のＤＭＲＳはシンボル識別子が３、６であるシンボルに位置し、ネットワーク装置が設定した、ＰＤＳＣＨで伝送されるシンボル数が１０又は１１であれば、第２、第３のＤＭＲＳはシンボル識別子が４、８であるシンボルに位置し、ネットワーク装置が設定した、ＰＤＳＣＨで伝送されるシンボル数が１２又は１３であれば、第２、第３のＤＭＲＳはシンボル識別子が５、１０であるシンボルに位置する。目標数が４であると仮定すれば、ネットワーク装置が設定した、ＰＤＳＣＨで伝送されるシンボル数が１２又は１３であれば、第２、第３、第４のＤＭＲＳはシンボル識別子が４、７、１０であるシンボルに位置する。
【００６０】
別の実施例では、トラフィックチャネルがＰＤＳＣＨであり、かつＰＤＳＣＨのマッピングタイプが第２のマッピングタイプである場合、ステップ３１は、ＰＤＳＣＨで伝送されるシンボル数が８〜１３のいずれかである第１４の値であるとき、シンボル数が２である１つ又は２つのＤＭＲＳをＰＤＳＣＨに設定すると決定することを含んでもよい。
【００６１】
それに応じて、ステップ３３は、以下を含んでよい。目標数が１であるとき、ＰＤＳＣＨに設定された１つのＤＭＲＳを、ＰＤＳＣＨが位置する、１つのタイムスロットより少ないシンボルを占めるタイムドメイン伝送ユニットの０番目のシンボルにマッピングして伝送する。
【００６２】
目標数が２であるとき、ＰＤＳＣＨに設定された２つのＤＭＲＳのうち第１のＤＭＲＳを、ＰＤＳＣＨが位置するタイムドメイン伝送ユニットの０番目のシンボルにマッピングして伝送し、２つのＤＭＲＳのうち第２のＤＭＲＳを、ＰＤＳＣＨが位置するタイムドメイン伝送ユニットの最後から３番目又は４番目のシンボルにマッピングして伝送する。具体的には、ＰＤＳＣＨで伝送されるシンボル数が８、１０又は１２であるとき、目標数のＤＭＲＳのうち最後から１番目のＤＭＲＳを、ＰＤＳＣＨが位置するタイムドメイン伝送ユニットの最後から３番目のシンボルにマッピングして伝送し、ＰＤＳＣＨで伝送されるシンボル数が９、１１又は１３であるとき、目標数のＤＭＲＳのうち最後から１番目のＤＭＲＳを、ＰＤＳＣＨが位置するタイムドメイン伝送ユニットの最後から４番目のシンボルにマッピングして伝送する。ネットワーク装置が設定した、ＰＤＳＣＨで伝送されるシンボル数が８又は９であると仮定すれば、第２のＤＭＲＳはシンボル識別子が５であるシンボルに位置する。ネットワーク装置が設定した、ＰＤＳＣＨで伝送されるシンボル数が１０又は１１であると仮定すれば、第２のＤＭＲＳはシンボル識別子が７であるシンボルに位置する。ネットワーク装置が設定した、ＰＤＳＣＨで伝送されるシンボル数が１２又は１３であると仮定すれば、第２のＤＭＲＳはシンボル識別子が９であるシンボルに位置する。
【００６３】
なお、本開示の実施例における第１のマッピングタイプとは、タイムスロットに基づくスケジューリングのことであり、ＤＭＲＳをトラフィックチャネルが位置するタイムスロットの２番目又は３番目のシンボルにマッピングするとは、ＤＭＲＳをトラフィックチャネルが位置するタイムスロットの、シンボル識別子が２又は３であるシンボルにマッピングすることである。タイムスロットの開始シンボルは基準シンボルであり、その識別子がタイムスロットの０番目のシンボルである。第２のマッピングタイプとは、非タイムスロットに基づくスケジューリングのことであり、ＤＭＲＳをトラフィックチャネルが位置するタイムドメイン伝送ユニットの０番目のシンボルにマッピングするとは、ＤＭＲＳをトラフィックチャネルが位置するタイムドメイン伝送ユニットの、シンボル識別子が０であるシンボルにマッピングすることであり、トラフィックチャネル伝送の開始シンボルにマッピングすると理解してもよい。トラフィックチャネル伝送の開始シンボルは基準シンボルであり、その識別子がタイムドメイン伝送ユニットの０番目のシンボルである。
【００６４】
好ましくは、上記異なるシーンにおいて、ステップ３３は、目標数のＤＭＲＳをそれぞれ目標数のターゲット伝送サブリソースにマッピングし、少なくとも一部のリソースがトラフィックチャネルが占めるリソースの後に位置するターゲット伝送サブリソースに対応するＤＭＲＳを廃棄することを含んでもよい。。ここに記載したＤＭＲＳは、１つのシンボルを含んでもよく、２つのシンボルを含んでもよい。２つのシンボルがあるＤＭＲＳを例にして、ネットワーク装置がトラフィックチャネルに設定したあるＤＭＲＳの一部又は全部のリソースがトラフィックチャネルが占めるリソースの後に位置すれば、ＤＭＲＳ全体を廃棄する。
【００６５】
以下、本実施例について、具体的な応用シーンを踏まえて復調基準信号の伝送方法をさらに説明する。
【００６６】
シーン１：トラフィックチャネルで伝送されるシンボル数は７以下である。該シーンにおいて、トラフィックチャネルが異なるマッピングタイプを採用するとき、ネットワーク装置は、トラフィックチャネルに異なる数のＤＭＲＳを設定し、ＤＭＲＳにスケジューリングするターゲット伝送リソースが異なる。
【００６７】
例１：１つのシンボルがあるＤＭＲＳを例にして、トラフィックチャネルのＤＭＲＳのリソースマッピングは以下の表５に示すとおりである。
【００６８】
【表５】
2021510263.tif 000007
【００６９】
以下、表５を参照しながらトラフィックチャネルのＤＭＲＳをさらに説明する。
【００７０】
好ましくは、第１の態様では、トラフィックチャネルが第１のマッピングタイプを採用すれば、対応するネットワーク装置がトラフィックチャネルに設定したＤＭＲＳも第１のマッピングタイプを採用し、ネットワーク装置は、最大１つのＤＭＲＳをトラフィックチャネルに設定する。
【００７１】
トラフィックチャネルで伝送されるシンボル数が１であるとき、端末にとって、ネットワーク装置が設定した、トラフィックチャネルで伝送されるシンボル数が１であることが望ましくないため、ネットワーク装置は、伝送シンボル数が１であるトラフィックチャネルにＤＭＲＳを設定しない。
【００７２】
同様に、トラフィックチャネルで伝送されるシンボル数が２であるとき、端末にとって、ネットワーク装置が設定した、トラフィックチャネルで伝送されるシンボル数が２であることが望ましくないため、ネットワーク装置は、伝送シンボル数が２であるトラフィックチャネルにＤＭＲＳを設定しない。
【００７３】
トラフィックチャネルで伝送されるシンボル数が３であるとき、制御チャネル、ガードインターバル（ガードインターバルがアップリンクのみに適用される）及び予約リソースのうち少なくとも１つが占める総シンボル数をさらに考慮する必要があり、もし制御チャネル、ガードインターバル及び予約リソースのうち少なくとも１つが占める総シンボル数が３以上であれば、端末にとって、ネットワーク装置が設定した、トラフィックチャネルで伝送されるシンボル数が３であることが望ましくないため、ネットワーク装置は、伝送シンボル数が３であるトラフィックチャネルにＤＭＲＳを設定しない。制御チャネル、ガードインターバル及び予約リソースのうち少なくとも１つが占める総シンボル数が３よりも小さければ、ネットワーク装置は、伝送シンボル数が３であるトラフィックチャネルに、シンボル数が１である１つのＤＭＲＳを設定し、該ＤＭＲＳを、トラフィックチャネルが位置するタイムスロットの２番目のシンボルにマッピングして伝送する。
【００７４】
トラフィックチャネルで伝送されるシンボル数が４であるとき、制御チャネル、ガードインターバル及び予約リソースのうち少なくとも１つが占める総シンボル数をさらに考慮する必要があり、もし制御チャネル、ガードインターバル及び予約リソースのうち少なくとも１つが占める総シンボル数が４以上であれば、端末にとって、ネットワーク装置が設定した、トラフィックチャネルで伝送されるシンボル数が４であることが望ましくないため、ネットワーク装置は、伝送シンボル数が４であるトラフィックチャネルにＤＭＲＳを設定しない。制御チャネル、ガードインターバル及び予約リソースのうち少なくとも１つが占める総シンボル数が３に等しければ、ネットワーク装置は、伝送シンボル数が４であるトラフィックチャネルに、シンボル数が１である１つのＤＭＲＳを設定し、該ＤＭＲＳを、トラフィックチャネルが位置するタイムスロットの３番目のシンボルにマッピングして伝送する。制御チャネル、ガードインターバル及び予約リソースのうち少なくとも１つが占める総シンボル数が３よりも小さければ、ネットワーク装置は、伝送シンボル数が４であるトラフィックチャネルに、シンボル数が１である１つのＤＭＲＳを設定し、該ＤＭＲＳを、トラフィックチャネルが位置するタイムスロットの２番目又は３番目のシンボルにマッピングして伝送する。
【００７５】
トラフィックチャネルで伝送されるシンボル数が５、６又は７であるとき、ネットワーク装置は、シンボル数が１である１つのＤＭＲＳをトラフィックチャネルに設定し、該ＤＭＲＳを、トラフィックチャネルが位置するタイムスロットの２番目又は３番目のシンボルにマッピングして伝送する。
【００７６】
好ましくは、第２の態様では、トラフィックチャネルが第２のマッピングタイプを採用するとき、対応するネットワーク装置がトラフィックチャネルに設定したＤＭＲＳも第２のマッピングタイプを採用する。
【００７７】
トラフィックチャネルで１つ、２つ、３つ、４つ又は５つのシンボルを伝送するとき、ネットワーク装置は、シンボル数が１である最大１つのＤＭＲＳをトラフィックチャネルに設定し、該ＤＭＲＳを、トラフィックチャネルが位置するタイムドメイン伝送ユニットの０番目のシンボルにマッピングして伝送し、トラフィックチャネルのＤＭＲＳがトラフィックチャネルの開始シンボルに位置すると理解してもよく、ＤＭＲＳとトラフィックチャネルが周波数分割多重を採用する。好ましくは、ネットワーク装置が設定した、トラフィックチャネルで伝送されるシンボル数が３又は５であるとき、トラフィックチャネルのＤＭＲＳは、トラフィックチャネルの開始シンボルにデフォルトで位置する。制御チャネルリソース又は予約リソースと、トラフィックチャネルのＤＭＲＳが占めるリソースの少なくとも一部とが重なれば（ここで、重なるとは、タイム／周波数ドメインがいずれも重なることである）、トラフィックチャネルのＤＭＲＳを全て制御チャネルリソース又は予約リソースの次のシンボルに移行し、すなわちトラフィックチャネルのＤＭＲＳを制御チャネルリソース又は予約リソースの次のシンボルにマッピングする。
【００７８】
トラフィックチャネルで６つ又は７つのシンボルを伝送するとき、ネットワーク装置は、シンボル数が１である１つ又は２つのＤＭＲＳをトラフィックチャネルに設定することができる。ネットワーク装置が１つのＤＭＲＳをトラフィックチャネルに設定するとき、該ＤＭＲＳを、トラフィックチャネルが位置するタイムドメイン伝送ユニットの０番目のシンボルにマッピングして伝送し、トラフィックチャネルのＤＭＲＳがトラフィックチャネルの開始シンボルに位置すると理解してもよく、ＤＭＲＳとトラフィックチャネルが周波数分割多重を採用する。ネットワーク装置が２つのＤＭＲＳをトラフィックチャネルに設定するとき、トラフィックチャネルに設定された２つのＤＭＲＳのうち第１のＤＭＲＳを、トラフィックチャネルが位置するタイムドメイン伝送ユニットの０番目のシンボルにマッピングして伝送し、２つのＤＭＲＳのうち第２のＤＭＲＳを、トラフィックチャネルが位置するタイムドメイン伝送ユニットの４番目のシンボルにマッピングして伝送する。好ましくは、制御チャネル又は予約リソースが占めるリソースと、トラフィックチャネルが占めるリソースの少なくとも一部とが重なれば、トラフィックチャネルに設定された２つのＤＭＲＳのうち第１のＤＭＲＳを、制御チャネル又は予約リソースの後に位置する１番目のシンボルである第１のターゲット伝送リソースにマッピングして伝送し、２つのＤＭＲＳのうち第２のＤＭＲＳを第２のターゲット伝送リソースにマッピングし、第２のターゲット伝送リソースは、第１のターゲット伝送リソースの後の４番目のシンボルであり、すなわち第１のＤＭＲＳが占めるシンボルと第２のＤＭＲＳが占めるシンボルとは４つのシンボルほど離れており、例えば、｛０，４｝、｛１，５｝、｛２，６｝である。
【００７９】
好ましくは、ネットワーク装置が２つのＤＭＲＳをトラフィックチャネルに設定するとき、第２のＤＭＲＳが占めるシンボルはトラフィックチャネルが占めるシンボルの後に位置する可能性があり、このとき、第２のＤＭＲＳを破棄してよい。
【００８０】
好ましくは、トラフィックチャネルで伝送されるシンボル数が６であり、かつトラフィックチャネルのＤＭＲＳ数が２であるとき、端末にとって、ネットワーク装置が設定した制御チャネル、ガードインターバル及び予約リソースのうち少なくとも１つが占める総シンボル数が１よりも大きいことが望ましくなく、トラフィックチャネルで伝送されるシンボル数が７であり、かつトラフィックチャネルのＤＭＲＳ数が２であるとき、端末は、ネットワーク装置が設定した制御チャネル、ガードインターバル及び予約リソースのうち少なくとも１つが占める総シンボル数が２よりも大きいことが望ましくない。
【００８１】
例２：２つのシンボルがあるＤＭＲＳを例にして、トラフィックチャネルのＤＭＲＳのリソースマッピングは以下の表６に示すとおりである。
【００８２】
【表６】
2021510263.tif 000008
【００８３】
以下、表６を参照しながらトラフィックチャネルのＤＭＲＳをさらに説明する。
【００８４】
トラフィックチャネルのマッピングタイプが第１のマッピングタイプであるか第２のマッピングタイプであるかを問わず、トラフィックチャネルで１つ、２つ、３つ、４つ又は５つのシンボルを伝送するとき、ネットワーク装置は、シンボル数が２であるＤＭＲＳをトラフィックチャネルに設定しない。
【００８５】
トラフィックチャネルで６つ又は７つのシンボルを伝送するとき、ネットワーク装置は、シンボル数が２である１つのＤＭＲＳをトラフィックチャネルに設定する。トラフィックチャネルが第１のマッピングタイプを採用するとき、対応するネットワーク装置がトラフィックチャネルに設定したＤＭＲＳも第１のマッピングタイプを採用し、ネットワーク装置は、シンボル数が２である１つのＤＭＲＳをトラフィックチャネルに設定し、該ＤＭＲＳの開始位置を、トラフィックチャネルが位置するタイムスロットの２番目又は３番目のシンボルにマッピングして伝送する。トラフィックチャネルが第２のマッピングタイプを採用するとき、対応するネットワーク装置がトラフィックチャネルに設定したＤＭＲＳも第２のマッピングタイプを採用し、ネットワーク装置は、シンボル数が２である１つのＤＭＲＳをトラフィックチャネルに設定し、該ＤＭＲＳの開始位置を、トラフィックチャネルが位置するタイムドメイン伝送ユニットの０番目のシンボルにマッピングして伝送し、トラフィックチャネルのＤＭＲＳがトラフィックチャネルの開始シンボルに位置すると理解してもよい。
【００８６】
シーン２：トラフィックチャネルで伝送されるシンボル数は１４以下である。該シーンにおいて、トラフィックチャネルが異なるマッピングタイプを採用するとき、ネットワーク装置は、トラフィックチャネルに異なる数のＤＭＲＳを設定し、ＤＭＲＳにスケジューリングするターゲット伝送リソースが異なる。以上のシーン１には、トラフィックチャネルで伝送されるシンボル数が７以下である場合について説明したが、該シーンは、ＰＤＳＣＨで伝送されるシンボル数が８〜１４であるシーンを中心に説明し、ＰＤＳＣＨで伝送されるシンボル数が８〜１４であるとき、ＰＤＳＣＨのマッピングタイプが第１のマッピングタイプであれば、関連技術におけるＰＤＳＣＨのＤＭＲＳの設定態様を採用することができる。
【００８７】
例３：該例は例１に対応し、１つのシンボルがあるＤＭＲＳを例にして、ＰＤＳＣＨのＤＭＲＳのリソースマッピングは以下の表７に示すとおりである。
【００８８】
【表７】
2021510263.tif 000009
【００８９】
シーン１の例１には、トラフィックチャネルで伝送されるシンボル数が１〜７であるときのＤＭＲＳの設定及び伝送方式を説明した。以下、表７を参照しながら、ＰＤＳＣＨで伝送されるシンボル数が８〜１４である場合のＤＭＲＳの設定及び伝送をさらに説明する。
【００９０】
好ましくは、第１の態様では、ＰＤＳＣＨが第１のマッピングタイプを採用するとき、対応するネットワーク装置がＰＤＳＣＨに設定したＤＭＲＳも第１のマッピングタイプを採用し、ネットワーク装置がＰＤＳＣＨにＤＭＲＳを設定する方式は従来の規格により実現することができる。
【００９１】
ＰＤＳＣＨで伝送されるシンボル数が８であるとき、ネットワーク装置は、シンボル数が１である１つのＤＭＲＳをＰＤＳＣＨに設定し、該ＤＭＲＳを、ＰＤＳＣＨが位置するタイムスロットの２番目又は３番目のシンボルにマッピングして伝送する。
【００９２】
ＰＤＳＣＨで伝送されるシンボル数が９であるとき、ネットワーク装置は、シンボル数が１である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムスロットの２番目又は３番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの７番目のシンボルにマッピングして伝送する。
【００９３】
ＰＤＳＣＨで伝送されるシンボル数が１０又は１１であるとき、ネットワーク装置は、シンボル数が１である１つ、２つ又は３つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムスロットの２番目又は３番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの９番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの６番目のシンボルにマッピングして伝送し、第３のＤＭＲＳを、ＰＤＳＣＨが位置するタイムスロットの９番目のシンボルにマッピングして伝送する。
【００９４】
ＰＤＳＣＨで伝送されるシンボル数が１２であるとき、ネットワーク装置は、シンボル数が１である１つ、２つ、３つ又は４つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムスロットの２番目又は３番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの９番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの６番目のシンボルにマッピングして伝送し、第３のＤＭＲＳを、ＰＤＳＣＨが位置するタイムスロットの９番目のシンボルにマッピングして伝送する。ネットワーク装置が４つのＤＭＲＳをＰＤＳＣＨに設定するとき、４つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの５番目のシンボルにマッピングして伝送し、第３のＤＭＲＳを、ＰＤＳＣＨが位置するタイムスロットの８番目のシンボルにマッピングして伝送し、第４のＤＭＲＳを、ＰＤＳＣＨが位置するタイムスロットの１１番目のシンボルにマッピングして伝送する。
【００９５】
ＰＤＳＣＨで伝送されるシンボル数が１３又は１４であるとき、ネットワーク装置は、シンボル数が１である１つ、２つ、３つ又は４つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムスロットの２番目又は３番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの１１番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの７番目のシンボルにマッピングして伝送し、第３のＤＭＲＳを、ＰＤＳＣＨが位置するタイムスロットの１１番目のシンボルにマッピングして伝送する。ネットワーク装置が４つのＤＭＲＳをＰＤＳＣＨに設定するとき、４つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの５番目のシンボルにマッピングして伝送し、第３のＤＭＲＳを、ＰＤＳＣＨが位置するタイムスロットの８番目のシンボルにマッピングして伝送し、第４のＤＭＲＳを、ＰＤＳＣＨが位置するタイムスロットの１１番目のシンボルにマッピングして伝送する。
【００９６】
好ましくは、第２の態様では、ＰＤＳＣＨが第２のマッピングタイプを採用するとき、対応するネットワーク装置がＰＤＳＣＨに設定したＤＭＲＳも第２のマッピングタイプを採用する。第２のマッピングタイプが非タイムスロットに基づくスケジューリングのマッピングタイプであるため、ＰＤＳＣＨで伝送される最大シンボル数は１３であり、ネットワーク装置がＤＭＲＳをＰＤＳＣＨに設定する方式は、第１のマッピングタイプの設定方式を採用することができる。
【００９７】
ＰＤＳＣＨで伝送されるシンボル数が８であるとき、ネットワーク装置は、シンボル数が１である１つ又は２つのＤＭＲＳをＰＤＳＣＨに設定し、ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送し、ＰＤＳＣＨのＤＭＲＳがＰＤＳＣＨの開始シンボルに位置すると理解してもよく、ＤＭＲＳとＰＤＳＣＨが周波数分割多重を採用する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの４番目のシンボルにマッピングして伝送する。
【００９８】
ＰＤＳＣＨで伝送されるシンボル数が９であるとき、ネットワーク装置は、シンボル数が１である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの７番目のシンボルにマッピングして伝送する。
【００９９】
ＰＤＳＣＨで伝送されるシンボル数が１０又は１１であるとき、ネットワーク装置は、シンボル数が１である１つ、２つ又は３つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの９番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの６番目のシンボルにマッピングして伝送し、第３のＤＭＲＳを、ＰＤＳＣＨが位置するタイムドメイン伝送ユニットの９番目のシンボルにマッピングして伝送する。
【０１００】
ＰＤＳＣＨで伝送されるシンボル数が１２であるとき、ネットワーク装置は、シンボル数が１である１つ、２つ、３つ又は４つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの９番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの６番目のシンボルにマッピングして伝送し、第３のＤＭＲＳを、ＰＤＳＣＨが位置するタイムドメイン伝送ユニットの９番目のシンボルにマッピングして伝送する。ネットワーク装置が４つのＤＭＲＳをＰＤＳＣＨに設定するとき、４つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの５番目のシンボルにマッピングして伝送し、第３のＤＭＲＳを、ＰＤＳＣＨが位置するタイムドメイン伝送ユニットの８番目のシンボルにマッピングして伝送し、第４のＤＭＲＳを、ＰＤＳＣＨが位置するタイムドメイン伝送ユニットの１１番目のシンボルにマッピングして伝送する。
【０１０１】
ＰＤＳＣＨで伝送されるシンボル数が１３又は１４であるときき、ネットワーク装置は、シンボル数が１である１つ、２つ、３つ又は４つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの１１番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの７番目のシンボルにマッピングして伝送し、第３のＤＭＲＳを、ＰＤＳＣＨが位置するタイムドメイン伝送ユニットの１１番目のシンボルにマッピングして伝送する。ネットワーク装置が４つのＤＭＲＳをＰＤＳＣＨに設定するとき、４つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの５番目のシンボルにマッピングして伝送し、第３のＤＭＲＳを、ＰＤＳＣＨが位置するタイムドメイン伝送ユニットの８番目のシンボルにマッピングして伝送し、第４のＤＭＲＳを、ＰＤＳＣＨが位置するタイムドメイン伝送ユニットの１１番目のシンボルにマッピングして伝送する。
【０１０２】
例４：該例は例２に対応し、２つのシンボルがあるＤＭＲＳを例にして、ＰＤＳＣＨのＤＭＲＳのリソースマッピングは以下の表８に示すとおりである。
【０１０３】
【表８】
2021510263.tif 000010
【０１０４】
シーン１の例２には、トラフィックチャネルで伝送されるシンボル数が１〜７であるときのＤＭＲＳの設定及び伝送方式が説明される。以下、表８を参照しながら、ＰＤＳＣＨで伝送されるシンボル数が８〜１４であるときのＤＭＲＳの設定及び伝送をさらに説明する。
【０１０５】
好ましくは、第１の態様では、ＰＤＳＣＨが第１のマッピングタイプを採用するとき、対応するネットワーク装置がＰＤＳＣＨに設定したＤＭＲＳも第１のマッピングタイプを採用し、ネットワーク装置がＰＤＳＣＨにＤＭＲＳを設定する方式は従来の規格により実現することができる。
【０１０６】
ＰＤＳＣＨで伝送されるシンボル数が８又は９であるとき、ネットワーク装置は、シンボル数が２である１つのＤＭＲＳをＰＤＳＣＨに設定し、該ＤＭＲＳを、ＰＤＳＣＨが位置するタイムスロットの２番目又は３番目のシンボルにマッピングして伝送する。
【０１０７】
ＰＤＳＣＨで伝送されるシンボル数が１０、１１又は１２であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムスロットの２番目又は３番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの８番目のシンボルにマッピングして伝送する。
【０１０８】
ＰＤＳＣＨで伝送されるシンボル数が１３又は１４であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムスロットの２番目又は３番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムスロットの２番目又は３番目のシンボルにマッピングして伝送し、第２のＤＭＲＳを、ＰＤＳＣＨが位置するタイムスロットの１０番目のシンボルにマッピングして伝送する。
【０１０９】
好ましくは、第２の態様では、ＰＤＳＣＨが第２のマッピングタイプを採用するとき、対応するネットワーク装置がＰＤＳＣＨに設定したＤＭＲＳも第２のマッピングタイプを採用する。第２のマッピングタイプが非タイムスロットに基づくスケジューリングのマッピングタイプであるため、ＰＤＳＣＨで伝送される最大シンボル数は１３であり、ネットワーク装置がＤＭＲＳをＰＤＳＣＨに設定する方式は、第１のマッピングタイプの設定方式を部分的に採用することができる。
【０１１０】
ＰＤＳＣＨで伝送されるシンボル数が８又は９であるとき、ネットワーク装置は、シンボル数が２であるＤＭＲＳをＰＤＳＣＨに設定しない。
【０１１１】
ＰＤＳＣＨで伝送されるシンボル数が１０、１１又は１２であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送し、ＰＤＳＣＨのＤＭＲＳがＰＤＳＣＨの開始シンボルに位置すると理解してもよく、ＤＭＲＳとＰＤＳＣＨが周波数分割多重を採用する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの８番目のシンボルにマッピングして伝送する。
【０１１２】
ＰＤＳＣＨで伝送されるシンボル数が１３であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送し、ＰＤＳＣＨのＤＭＲＳがＰＤＳＣＨの開始シンボルに位置すると理解してもよく、ＤＭＲＳとＰＤＳＣＨが周波数分割多重を採用する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの１０番目のシンボルにマッピングして伝送する。
【０１１３】
シーン３：トラフィックチャネルで伝送されるシンボル数は１４以下である。該シーンにおいて、トラフィックチャネルが異なるマッピングタイプを採用するとき、ネットワーク装置は、トラフィックチャネルに異なる数のＤＭＲＳを設定し、ＤＭＲＳにスケジューリングするターゲット伝送リソースが異なる。以上のシーン１には、トラフィックチャネルで伝送されるシンボル数が７以下である場合について説明したが、該シーンは、シーン２と並行して、ＰＤＳＣＨで伝送されるシンボル数が８〜１４であるシーンを中心に説明する。
【０１１４】
例５：該例は例１に対応し、１つのシンボルがあるＤＭＲＳを例にして、ＰＤＳＣＨのＤＭＲＳのリソースマッピングは以下の表９に示すとおりである。
【０１１５】
【表９】
2021510263.tif 000011
【０１１６】
シーン１の例１には、トラフィックチャネルで伝送されるシンボル数が１〜７であるときのＤＭＲＳの設定及び伝送方式を説明した。以下、表１０を参照しながら、ＰＤＳＣＨで伝送されるシンボル数が８〜１４であるときのＤＭＲＳの設定及び伝送をさらに説明する。
【０１１７】
好ましくは、第１の態様では、ＰＤＳＣＨが第１のマッピングタイプを採用するとき、対応するネットワーク装置がＰＤＳＣＨに設定したＤＭＲＳも第１のマッピングタイプを採用し、ネットワーク装置がＰＤＳＣＨにＤＭＲＳを設定する方式は従来の規格により実現することができ、具体的なマッピング方式は、シーン２における例３に説明したとおりであるため、ここでは説明を省略する。
【０１１８】
好ましくは、第２の態様では、ＰＤＳＣＨが第２のマッピングタイプを採用するとき、対応するネットワーク装置がＰＤＳＣＨに設定したＤＭＲＳも第２のマッピングタイプを採用する。第２のマッピングタイプが非タイムスロットに基づくスケジューリングのマッピングタイプであるため、ＰＤＳＣＨで伝送される最大シンボル数は１３である。
【０１１９】
ＰＤＳＣＨで伝送されるシンボル数が８又は９であるとき、ネットワーク装置は、シンボル数が１である１つ、２つ又は３つのＤＭＲＳをＰＤＳＣＨに設定し、ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送し、ＰＤＳＣＨのＤＭＲＳがＰＤＳＣＨの開始シンボルに位置すると理解してもよく、ＤＭＲＳとＰＤＳＣＨが周波数分割多重を採用する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの６番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの３番目のシンボルにマッピングして伝送し、第３のＤＭＲＳを、ＰＤＳＣＨが位置するタイムドメイン伝送ユニットの６番目のシンボルにマッピングして伝送する。最後のＤＭＲＳの位置を、ＰＤＳＣＨで伝送されるシンボル数によって決定し、目標数のＤＭＲＳのうち最後から１番目のＤＭＲＳを、ＰＤＳＣＨが位置するタイムドメイン伝送ユニットの最後から２番目又は３番目のシンボルにマッピングして伝送する。中間のＤＭＲＳは、第１のＤＭＲＳと最後から第１のＤＭＲＳが占めるシンボルの間にできるだけ均一に分布する。
【０１２０】
ＰＤＳＣＨで伝送されるシンボル数が１０又は１１であるとき、ネットワーク装置は、シンボル数が１である１つ、２つ又は３つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの８番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの４番目のシンボルにマッピングして伝送し、第３のＤＭＲＳを、ＰＤＳＣＨが位置するタイムドメイン伝送ユニットの８番目のシンボルにマッピングして伝送する。
【０１２１】
ＰＤＳＣＨで伝送されるシンボル数が１２又は１３であるとき、ネットワーク装置は、シンボル数が１である１つ、２つ、３つ又は４つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの１０番目のシンボルにマッピングして伝送する。ネットワーク装置が３つのＤＭＲＳをＰＤＳＣＨに設定するとき、３つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの５番目のシンボルにマッピングして伝送し、第３のＤＭＲＳを、ＰＤＳＣＨが位置するタイムドメイン伝送ユニットの１０番目のシンボルにマッピングして伝送する。ネットワーク装置が４つのＤＭＲＳをＰＤＳＣＨに設定するとき、４つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの４番目のシンボルにマッピングして伝送し、第３のＤＭＲＳを、ＰＤＳＣＨが位置するタイムドメイン伝送ユニットの７番目のシンボルにマッピングして伝送し、第４のＤＭＲＳを、ＰＤＳＣＨが位置するタイムドメイン伝送ユニットの１０番目のシンボルにマッピングして伝送する。
【０１２２】
例６：該例は例２に対応し、２つのシンボルがあるＤＭＲＳを例にして、ＰＤＳＣＨのＤＭＲＳのリソースマッピングは以下の表１０に示すとおりである。
【０１２３】
【表１０】
2021510263.tif 000012
【０１２４】
シーン１の例２には、トラフィックチャネルで伝送されるシンボル数が１〜７であるときのＤＭＲＳの設定及び伝送方式を説明される。以下、表１０を参照しながら、ＰＤＳＣＨで伝送されるシンボル数が８〜１４であるときのＤＭＲＳの設定及び伝送をさらに説明する。
【０１２５】
好ましくは、第１の態様では、ＰＤＳＣＨが第１のマッピングタイプを採用するとき、対応するネットワーク装置がＰＤＳＣＨに設定したＤＭＲＳも第１のマッピングタイプを採用し、ネットワーク装置がＰＤＳＣＨにＤＭＲＳを設定する方式は従来の規格により実現することができ、具体的なマッピング方式は、シーン２における例４に説明したとおりであるため、ここでは説明を省略する。
【０１２６】
好ましくは、第２の態様では、ＰＤＳＣＨが第２のマッピングタイプを採用するとき、対応するネットワーク装置がＰＤＳＣＨに設定したＤＭＲＳも第２のマッピングタイプを採用する。第２のマッピングタイプが非タイムスロットに基づくスケジューリングのマッピングタイプであるため、ＰＤＳＣＨで伝送される最大シンボル数は１３である。
【０１２７】
ＰＤＳＣＨで伝送されるシンボル数が８又は９であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの５番目のシンボルにマッピングして伝送する。
【０１２８】
ＰＤＳＣＨで伝送されるシンボル数が１０又は１１であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送し、ＰＤＳＣＨのＤＭＲＳがＰＤＳＣＨの開始シンボルに位置すると理解してもよく、ＤＭＲＳとＰＤＳＣＨが周波数分割多重を採用する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの７番目のシンボルにマッピングして伝送する。
【０１２９】
ＰＤＳＣＨで伝送されるシンボル数が１２又は１３であるとき、ネットワーク装置は、シンボル数が２である１つ又は２つのＤＭＲＳをＰＤＳＣＨに設定する。ネットワーク装置が１つのＤＭＲＳをＰＤＳＣＨに設定するとき、該ＤＭＲＳを、ＰＤＳＣＨが位置するタイムドメイン伝送ユニットの０番目のシンボルにマッピングして伝送し、ＰＤＳＣＨのＤＭＲＳがＰＤＳＣＨの開始シンボルに位置すると理解してもよく、ＤＭＲＳとＰＤＳＣＨが周波数分割多重を採用する。ネットワーク装置が２つのＤＭＲＳをＰＤＳＣＨに設定するとき、２つのＤＭＲＳのうち第１のＤＭＲＳを、ＰＤＳＣＨが位置するタイムドメイン伝送ユニットの０番目のシンボルにマッピングして伝送し、第２のＤＭＲＳを、ＰＤＳＣＨが位置するタイムドメイン伝送ユニットの９番目のシンボルにマッピングして伝送する。
【０１３０】
本開示の実施例に係る復調基準信号の伝送方法において、ネットワーク装置は、トラフィックチャネルのマッピングタイプ及びトラフィックチャネルで伝送されるシンボル数に基づいて、対応するＤＭＲＳをトラフィックチャネルに設定するか否かを決定し、ＤＭＲＳをトラフィックチャネルに設定すると決定したとき、トラフィックチャネルのマッピングタイプ及びトラフィックチャネルで伝送されるシンボル数に基づいて、さらに目標数のＤＭＲＳをトラフィックチャネルに設定することにより、様々なシーンにおけるトラフィックチャネルの復調性能を保証し、トラフィックチャネルの正確な伝送を保証し、サービスデータの正確な伝送を実現する。
【０１３１】
以上、実施例は、それぞれ異なるシーンにおける復調基準信号の伝送方法を詳細に説明し、以下、本実施例は、図面を参照しながら対応するネットワーク装置をさらに説明する。
【０１３２】
図４に示すように、本開示の実施例に係るネットワーク装置４００は、上記実施形態における、トラフィックチャネルのマッピングタイプ、伝送されるシンボル数及び復調基準信号ＤＭＲＳのシンボル数に基づいて、対応するＤＭＲＳをトラフィックチャネルに設定するか否かを決定し、対応するＤＭＲＳをトラフィックチャネルに設定すると決定したとき、トラフィックチャネルに目標数のＤＭＲＳを設定し、目標数のＤＭＲＳをターゲット伝送リソースにマッピングして伝送する方法の詳細を実現し、同様の効果を達成することができ、該ネットワーク装置４００は、具体的には、
トラフィックチャネルのマッピングタイプ、伝送されるシンボル数及び復調基準信号ＤＭＲＳのシンボル数に基づいて、対応するＤＭＲＳをトラフィックチャネルに設定するか否かを決定する決定モジュール４１０、
対応するＤＭＲＳをトラフィックチャネルに設定すると決定したとき、トラフィックチャネルに目標数のＤＭＲＳを設定する設定モジュール４２０、及び
目標数のＤＭＲＳをターゲット伝送リソースにマッピングして伝送する伝送モジュール４３０という機能モジュールを含む。
【０１３３】
トラフィックチャネルのマッピングタイプが第１のマッピングタイプであり、かつＤＭＲＳのシンボル数が１であるとき、
決定モジュール４１０は、
トラフィックチャネルで伝送されるシンボル数が１又は２である第１の値であるとき、対応するＤＭＲＳをトラフィックチャネルに設定しないと決定する第１の決定サブモジュール、
トラフィックチャネルで伝送されるシンボル数が３又は４である第２の値であるとき、制御チャネル、ガードインターバル及び予約リソースのうち少なくとも１つが占める総リソースのシンボル数が第２の値以上であれば、対応するＤＭＲＳをトラフィックチャネルに設定せず、第２の値以上でなければ、シンボル数が１である１つのＤＭＲＳをトラフィックチャネルに設定すると決定する第２の決定サブモジュール、及び
トラフィックチャネルで伝送されるシンボル数が５、６又は７である第３の値であるとき、シンボル数が１である１つのＤＭＲＳをトラフィックチャネルに設定すると決定する第３の決定サブモジュールのうち少なくとも１つを含む。
【０１３４】
トラフィックチャネルのマッピングタイプが第１のマッピングタイプであり、かつＤＭＲＳのシンボル数が２であるとき、
決定モジュール４１０は、さらに、
トラフィックチャネルで伝送されるシンボル数が１〜５のいずれかである第４の値であるとき、対応するＤＭＲＳをトラフィックチャネルに設定しないと決定する第４の決定サブモジュール、及び
トラフィックチャネルで伝送されるシンボル数が６又は７である第５の値であるとき、シンボル数が２である１つのＤＭＲＳをトラフィックチャネルに設定すると決定する第５の決定サブモジュールのうち少なくとも１つを含む。
【０１３５】
伝送モジュール４３０は、
トラフィックチャネルに設定された１つのＤＭＲＳを、トラフィックチャネルが位置するタイムスロットの２番目又は３番目のシンボルにマッピングして伝送する第１の伝送サブモジュールを含む。
【０１３６】
トラフィックチャネルのマッピングタイプが第２のマッピングタイプであり、かつＤＭＲＳのシンボル数が１であるとき、
決定モジュール４１０は、さらに、
トラフィックチャネルで伝送されるシンボル数が１〜５のいずれかである第６の値であるとき、シンボル数が１である１つのＤＭＲＳをトラフィックチャネルに設定すると決定する第６の決定サブモジュール、及び
トラフィックチャネルで伝送されるシンボル数が６又は７である第７の値であるとき、シンボル数が１である１つ又は２つのＤＭＲＳをトラフィックチャネルに設定すると決定する第７の決定サブモジュールのうち少なくとも１つを含む。
【０１３７】
トラフィックチャネルのマッピングタイプが第２のマッピングタイプであり、かつＤＭＲＳのシンボル数が２であるとき、
決定モジュール４１０は、さらに、
トラフィックチャネルで伝送されるシンボル数が１〜５のいずれかである第８の値であるとき、対応するＤＭＲＳをトラフィックチャネルに設定しないと決定する第８の決定サブモジュール、及び
トラフィックチャネルで伝送されるシンボル数が６又は７である第９の値であるとき、シンボル数が２である１つのＤＭＲＳをトラフィックチャネルに設定すると決定する第９の決定サブモジュールのうち少なくとも１つを含む。
【０１３８】
伝送モジュール４３０は、さらに、
目標数が１であるとき、トラフィックチャネルに設定された１つのＤＭＲＳを、トラフィックチャネルが位置する、１つのタイムスロットより少ないシンボルを占めるタイムドメイン伝送ユニットの０番目のシンボルにマッピングして伝送する第２の伝送サブモジュールと、
目標数が２であるとき、トラフィックチャネルに設定された２つのＤＭＲＳのうち第１のＤＭＲＳを、トラフィックチャネルが位置するタイムドメイン伝送ユニットの０番目のシンボルにマッピングして伝送し、２つのＤＭＲＳのうち第２のＤＭＲＳを、トラフィックチャネルが位置するタイムドメイン伝送ユニットの４番目のシンボルにマッピングして伝送する第３の伝送サブモジュールとを含む。
【０１３９】
伝送モジュール４３０は、さらに、
目標数が１であるとき、制御チャネル又は予約リソースが占めるリソースと、トラフィックチャネルが占めるリソースの少なくとも一部とが重なれば、目標数のＤＭＲＳを制御チャネル又は予約リソースの後に位置する１番目のシンボルにマッピングする第４の伝送サブモジュールを含む。
【０１４０】
伝送モジュール４３０は、さらに、
目標数が２であるとき、制御チャネル又は予約リソースが占めるリソースと、トラフィックチャネルが占めるリソースの少なくとも一部とが重なれば、トラフィックチャネルに設定された２つのＤＭＲＳのうち第１のＤＭＲＳを、制御チャネル又は予約リソースの後に位置する１番目のシンボルである第１のターゲット伝送リソースにマッピングして伝送する第５の伝送サブモジュールと、
２つのＤＭＲＳのうち第２のＤＭＲＳを、第１のターゲット伝送リソースの後に位置しかつ第１のターゲット伝送リソースの後の４番目のシンボルである第２のターゲット伝送リソースにマッピングし、もし第２のターゲット伝送リソースがトラフィックチャネルが占めるリソースの後に位置すれば、第２のＤＭＲＳを廃棄し、その後に位置しなければ、第２のターゲット伝送リソースにより第２のＤＭＲＳの伝送を行う第６の伝送サブモジュールとを含む。
【０１４１】
トラフィックチャネルは、物理アップリンク共有チャネルＰＵＳＣＨ又は物理ダウンリンク共有チャネルＰＤＳＣＨを含む。
【０１４２】
トラフィックチャネルがＰＤＳＣＨであり、かつＰＤＳＣＨのマッピングタイプが第２のマッピングタイプである場合、
決定モジュール４１０は、さらに、
ＰＤＳＣＨで伝送されるシンボル数が８である第１０の値であるとき、シンボル数が１である１つ又は２つのＤＭＲＳをＰＤＳＣＨに設定するか又はシンボル数が２である１つのＤＭＲＳをＰＤＳＣＨに設定すると決定する第１０の決定サブモジュール、及び
ＰＤＳＣＨで伝送されるシンボル数が９〜１３のいずれかである第１１の値であるとき、第１のマッピングタイプのＤＭＲＳ設定に従ってＤＭＲＳをＰＤＳＣＨに設定すると決定する第１１の決定サブモジュールのうち少なくとも１つを含む。
【０１４３】
伝送モジュール４３０は、さらに、
目標数が１であるとき、ＰＤＳＣＨに設定された１つのＤＭＲＳを、ＰＤＳＣＨが位置する、１つのタイムスロットより少ないシンボルを占めるタイムドメイン伝送ユニットの０番目のシンボルにマッピングして伝送する第７の伝送サブモジュール、及び
目標数が２であるとき、ＰＤＳＣＨに設定された２つのＤＭＲＳのうち第１のＤＭＲＳを、ＰＤＳＣＨが位置するタイムドメイン伝送ユニットの０番目のシンボルにマッピングして伝送し、２つのＤＭＲＳのうち第２のＤＭＲＳを、ＰＤＳＣＨが位置するタイムドメイン伝送ユニットの４番目のシンボルにマッピングして伝送する第８の伝送サブモジュールのうち少なくとも１つを含む。
【０１４４】
トラフィックチャネルがＰＤＳＣＨであり、かつＰＤＳＣＨのマッピングタイプが第２のマッピングタイプである場合、
決定モジュール４１０は、さらに、
ＰＤＳＣＨで伝送されるシンボル数が８〜１１のいずれかである第１２の値であるとき、シンボル数が１である１つ、２つ又は３つのＤＭＲＳをＰＤＳＣＨに設定すると決定する第１２の決定サブモジュール、及び
ＰＤＳＣＨで伝送されるシンボル数が１２又は１３である第１３の値であるとき、シンボル数が１である１つ、２つ、３つ又は４つのＤＭＲＳをＰＤＳＣＨに設定すると決定する第１３の決定サブモジュールのうち少なくとも１つを含む。
【０１４５】
伝送モジュール４３０は、さらに、
目標数が１であるとき、ＰＤＳＣＨに設定された１つのＤＭＲＳを、ＰＤＳＣＨが位置する、１つのタイムスロットより少ないシンボルを占めるタイムドメイン伝送ユニットの０番目のシンボルにマッピングして伝送する第９の伝送サブモジュール、及び
目標数が２以上であるとき、ＰＤＳＣＨに設定された２つのＤＭＲＳのうち第１のＤＭＲＳを、ＰＤＳＣＨが位置するタイムドメイン伝送ユニットの０番目のシンボルにマッピングして伝送し、目標数のＤＭＲＳのうち最後から１番目のＤＭＲＳを、ＰＤＳＣＨが位置するタイムドメイン伝送ユニットの最後から２番目又は３番目のシンボルにマッピングして伝送し、目標数のＤＭＲＳのうち他のＤＭＲＳを１番目のＤＭＲＳと最後から１番目のＤＭＲＳとの間の等間隔のシンボルにマッピングして伝送する第１０の伝送サブモジュールのうち少なくとも１つを含む。
【０１４６】
第１０の伝送サブモジュールは、
ＰＤＳＣＨで伝送されるシンボル数が８、１０又は１２であるとき、目標数のＤＭＲＳのうち最後から１番目のＤＭＲＳを、ＰＤＳＣＨが位置するタイムドメイン伝送ユニットの最後から２番目のシンボルにマッピングして伝送する第１の伝送ユニット、及び
ＰＤＳＣＨで伝送されるシンボル数が９、１１又は１３であるとき、目標数のＤＭＲＳのうち最後から１番目のＤＭＲＳを、ＰＤＳＣＨが位置するタイムドメイン伝送ユニットの最後から２番目のシンボルにマッピングして伝送する第２の伝送ユニットのうち少なくとも１つを含む。
【０１４７】
トラフィックチャネルがＰＤＳＣＨであり、かつＰＤＳＣＨのマッピングタイプが第２のマッピングタイプである場合、
決定モジュール４１０は、さらに、
ＰＤＳＣＨで伝送されるシンボル数が８〜１３のいずれかである第１４の値であるとき、シンボル数が２である１つ又は２つのＤＭＲＳをＰＤＳＣＨに設定すると決定する第１４の決定サブモジュールを含む。
【０１４８】
伝送モジュール４３０は、さらに、
目標数が１であるとき、ＰＤＳＣＨに設定された１つのＤＭＲＳを、ＰＤＳＣＨが位置する、１つのタイムスロットより少ないシンボルを占めるタイムドメイン伝送ユニットの０番目のシンボルにマッピングして伝送する第１１の伝送サブモジュール、及び
目標数が２であるとき、ＰＤＳＣＨに設定された２つのＤＭＲＳのうち第１のＤＭＲＳを、ＰＤＳＣＨが位置するタイムドメイン伝送ユニットの０番目のシンボルにマッピングして伝送し、２つのＤＭＲＳのうち第２のＤＭＲＳを、ＰＤＳＣＨが位置するタイムドメイン伝送ユニットの最後から３番目又は４番目のシンボルにマッピングして伝送する第１２の伝送サブモジュールのうち少なくとも１つを含む。
【０１４９】
第１２の伝送サブモジュールは、
ＰＤＳＣＨで伝送されるシンボル数が８、１０又は１２であるとき、２つのＤＭＲＳのうち第２のＤＭＲＳを、ＰＤＳＣＨが位置するタイムドメイン伝送ユニットの最後から３番目のシンボルにマッピングして伝送する第３の伝送ユニットと、
ＰＤＳＣＨで伝送されるシンボル数が９、１１又は１３であるとき、２つのＤＭＲＳのうち第２のＤＭＲＳを、ＰＤＳＣＨが位置するタイムドメイン伝送ユニットの最後から４番目のシンボルにマッピングして伝送する第４の伝送ユニットとを含む。
【０１５０】
伝送モジュール４３０は、さらに、
目標数のＤＭＲＳをそれぞれ目標数のターゲット伝送サブリソースにマッピングするマッピングサブモジュールと、
少なくとも一部のリソースがトラフィックチャネルが占めるリソースの後に位置するターゲット伝送サブリソースに対応するＤＭＲＳを廃棄する廃棄サブモジュールとを含む。
【０１５１】
設定モジュール４２０は、
トラフィックチャネルのマッピングタイプ、伝送されるシンボル数、復調基準信号ＤＭＲＳのシンボル数、及び制御チャネル、ガードインターバル及び予約リソースのうち少なくとも１つが占める総リソースのシンボル数に基づいて、トラフィックチャネルに設定するＤＭＲＳの目標数を決定し、対応するＤＭＲＳをトラフィックチャネルに設定する設定サブモジュールを含む。
【０１５２】
なお、本開示の実施例に係るネットワーク装置は、トラフィックチャネルのマッピングタイプ及びトラフィックチャネルで伝送されるシンボル数に基づいて、対応するＤＭＲＳをトラフィックチャネルに設定するか否かを決定し、ＤＭＲＳをトラフィックチャネルに設定すると決定したとき、トラフィックチャネルのマッピングタイプ及びトラフィックチャネルで伝送されるシンボル数に基づいて、さらに目標数のＤＭＲＳをトラフィックチャネルに設定することにより、様々なシーンにおけるトラフィックチャネルの復調性能を保証し、トラフィックチャネルの正確な伝送を保証し、サービスデータの正確な伝送を実現する。
【０１５３】
なお、以上の各モジュールの区分は、論理上の機能の区分に過ぎず、実際に実現する場合、全部又は一部を１つの物理的実体に集積してもよく、物理的に分離してもよい。これらのモジュールは、全て処理素子によりソフトウェアを呼び出す形態で実現されてもよく、全てハードウェアの形態で実現されてもよく、さらに、一部のモジュールは、処理素子によりソフトウェアを呼び出す形態で実現されるが、他部のモジュールは、ハードウェアの形態で実現されてもよい。例えば、決定モジュールは、別個に設置された処理素子であってもよく、上記装置のあるチップに集積されて実現されてもよく、また、プログラムコードの形態で上記装置のメモリに記憶され、上記装置のある処理素子によって呼び出され、かつ以上の決定モジュールの機能を実行してもよい。他のモジュールの実現はこれと類似する。また、これらのモジュールは、全部又は一部が集積されてもよく、別個に実現されてもよい。ここでの処理素子は、信号の処理能力を有する集積回路であってよい。実現過程において、上記方法の各ステップ又は以上の各モジュールは、処理素子中のハードウェアの集積論理回路又はソフトウェア形態の命令により完成することができる。
【０１５４】
例えば、以上のこれらのモジュールは、以上の方法を実施する１つ以上の集積回路、例えば、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称する）、又は１つ以上のマイクロプロセッサ（ｄｉｇｉｔａｌ  ｓｉｇｎａｌ  ｐｒｏｃｅｓｓｏｒ、ＤＳＰと略称する）、又は１つ以上のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称する）などとして設定されてよい。また、以上のあるモジュールは、処理素子がプログラムコードを呼び出す形態で実現されるとき、該処理素子は、汎用プロセッサ、例えば中央処理装置（Ｃｅｎｔｒａｌ  Ｐｒｏｃｅｓｓｉｎｇ  Ｕｎｉｔ、ＣＰＵと略称する）又はプログラムコードを呼び出し可能な他のプロセッサなどであってよい。また、これらのモジュールは集積されて、システムオンチップ（Ｓｙｓｔｅｍ−Ｏｎ−ａ−Ｃｈｉｐ、ＳＯＣと略称する）の形態で実現されてよい。
【０１５５】
上記目的をよりよく達成するために、本開示の実施例は、プロセッサと、メモリと、メモリに記憶されプロセッサで動作可能なコンピュータプログラムとを含み、プロセッサが、コンピュータプログラムを実行すると、上記復調基準信号の伝送方法のステップを実現するネットワーク装置をさらに提供する。本開示の実施例は、プロセッサによって実行されると、上記復調基準信号の伝送方法のステップを実現するプログラムが記憶されたコンピュータ読み取り可能な記憶媒体をさらに提供する。
【０１５６】
具体的には、本開示の実施例は、ネットワーク装置をさらに提供する。図５に示すように、該ネットワーク装置５００は、アンテナ５１、無線周波数装置５２及びベースバンド装置５３を含む。アンテナ５１は無線周波数装置５２と接続される。アップリンク方向にそって、無線周波数装置５２は、アンテナ５１を介して情報を受信し、かつ受信した情報をベースバンド装置５３に送信して処理を行う。ダウンリンク方向にそって、ベースバンド装置５３は、送信対象となる情報を処理し、無線周波数装置５２に送信し、無線周波数装置５２は、受信した情報を処理してからアンテナ５１を介して送信する。
【０１５７】
上記帯域処理装置は、ベースバンド装置５３内に位置してよく、以上の実施例におけるネットワーク装置が実行する方法は、ベースバンド装置５３において実現されてよく、該ベースバンド装置５３はプロセッサ５４及びメモリ５５を含む。
【０１５８】
ベースバンド装置５３は、例えば少なくとも１つのベースバンドボードを含んでよく、該ベースバンドボードに複数のチップが設置され、図５に示すように、そのうちの１つのチップは、例えばメモリ５５と接続され、メモリ５５中のプログラムを呼び出して以上の方法実施例に示すネットワーク装置の動作を実行するプロセッサ５４である。
【０１５９】
該ベースバンド装置５３は、無線周波数装置５２と情報を変換するネットワークインタフェース５６をさらに含んでよく、該インタフェースは、例えば共通公衆無線インタフェース（Ｃｏｍｍｏｎ  Ｐｕｂｌｉｃ  Ｒａｄｉｏ  Ｉｎｔｅｒｆａｃｅ、ＣＰＲＩと略称する）である。
【０１６０】
ここでのプロセッサは１つのプロセッサであってもよく、複数の処理素子の総称であってもよく、例えば、該プロセッサはＣＰＵであってもよく、ＡＳＩＣであってもよく、又は、以上のネットワーク装置によって実行される方法を実施するように設定された１つ以上の集積回路、例えば１つ以上のマイクロプロセッサＤＳＰや１つ以上のフィールドプログラマブルゲートアレイＦＰＧＡなどである。記憶素子は１つのメモリであってもよく、複数の記憶素子の総称であってもよい。
【０１６１】
メモリ５５は、揮発性メモリ又は不揮発性メモリであってもよく、揮発性と不揮発性メモリの両方を含んでもよい。不揮発性メモリは、読み取り専用メモリ（Ｒｅａｄ−Ｏｎｌｙ  Ｍｅｍｏｒｙ、ＲＯＭと略称する）、プログラマブル読み取り専用メモリ（Ｐｒｏｇｒａｍｍａｂｌｅ  ＲＯＭ、ＰＲＯＭと略称する）、消去可能プログラマブル読み出し専用メモリ（Ｅｒａｓａｂｌｅ  ＰＲＯＭ、ＥＰＲＯＭと略称する）、電気的消去可能プログラマブル読み出し専用メモリ（Ｅｌｅｃｔｒｉｃａｌｌｙ  ＥＰＲＯＭ、ＥＥＰＲＯＭと略称する）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭと略称する）であってよい。限定的なものではない例示的な説明によれば、スタティックランダムアクセスメモリ（Ｓｔａｔｉｃ  ＲＡＭ、ＳＲＡＭと略称する）、ダイナミックランダムアクセスメモリ（Ｄｙｎａｍｉｃ  ＲＡＭ、ＤＲＡＭと略称する）、同期ダイナミックランダムアクセスメモリ（Ｓｙｎｃｈｒｏｎｏｕｓ  ＤＲＡＭ、ＳＤＲＡＭと略称する）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭと略称する）、エンハンスドシンクロナスダイナミックランダムアクセスメモリ（Ｅｎｈａｎｃｅｄ  ＳＤＲＡＭ、ＥＳＤＲＡＭと略称する）、シンクリンクダイナミックランダムアクセスメモリ（Ｓｙｎｃｈｌｉｎｋ  ＤＲＡＭ、ＳＬＤＲＡＭと略称する）及びダイレクトラムバスランダムアクセスメモリ（Ｄｉｒｅｃｔ  Ｒａｍｂｕｓ  ＲＡＭ、ＤＲＲＡＭと略称する）などの多くの形態のＲＡＭは使用可能である。本願において説明されるメモリ５５は、これらと他の任意の適切なタイプのメモリを含むが、それらに限定されない。
【０１６２】
具体的には、本開示の実施例に係るネットワーク装置は、メモリ５５に記憶されプロセッサ５４で実行可能なコンピュータプログラムをさらに含み、プロセッサ５４は、メモリ５５中のコンピュータプログラムを呼び出して、図４に示す各モジュールによって実行される方法を実行する。
【０１６３】
具体的には、コンピュータプログラムは、プロセッサ５４によって呼び出されたとき、トラフィックチャネルのマッピングタイプ、伝送されるシンボル数及び復調基準信号ＤＭＲＳのシンボル数に基づいて、対応するＤＭＲＳをトラフィックチャネルに設定するか否かを決定することと、対応するＤＭＲＳをトラフィックチャネルに設定すると決定したとき、トラフィックチャネルに目標数のＤＭＲＳを設定することと、目標数のＤＭＲＳをターゲット伝送リソースにマッピングして伝送することとを実行する。
【０１６４】
ネットワーク装置は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭと略称する）又は符号分割多元接続（Ｃｏｄｅ  Ｄｉｖｉｓｉｏｎ  Ｍｕｌｔｉｐｌｅ  Ａｃｃｅｓｓ、ＣＤＭＡと略称する）における基地局（Ｂａｓｅ  Ｔｒａｎｓｃｅｉｖｅｒ  Ｓｔａｔｉｏｎ、ＢＴＳと略称する）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡと略称する）における基地局（ＮｏｄｅＢ、ＮＢと略称する）であってもよく、さらに、ＬＴＥにおける進化型基地局（Ｅｖｏｌｖｅｄ  Ｎｏｄｅ  Ｂ、ｅＮＢ又はｅＮｏｄｅＢと略称する）、中継局、アクセスポイント、又は将来の５Ｇネットワークにおける基地局などであってもよく、ここで限定されない。
【０１６５】
本開示の実施例に係るネットワーク装置は、トラフィックチャネルのマッピングタイプ及びトラフィックチャネルで伝送されるシンボル数に基づいて、対応するＤＭＲＳをトラフィックチャネルに設定するか否かを決定し、ＤＭＲＳをトラフィックチャネルに設定すると決定したとき、トラフィックチャネルのマッピングタイプ及びトラフィックチャネルで伝送されるシンボル数に基づいて、さらに目標数のＤＭＲＳをトラフィックチャネルに設定することにより、様々なシーンにおけるトラフィックチャネルの復調性能を保証し、トラフィックチャネルの正確な伝送を保証し、サービスデータの正確な伝送を実現する。
【０１６６】
当業者であれば理解できるように、本明細書で開示される実施例を参照しながら説明された各例のユニット及びアルゴリズムステップは、電子ハードウェア、又はコンピュータソフトウェアと電子ハードウェアの組み合わせにより実現することができる。これらの機能がハードウェアの方式で実行されるか又はソフトウェアの方式で実行されるかは、技術的解決手段の特定の応用と設計上の制約条件に依存する。当業者は各特定の応用に応じて、説明された機能を異なる方式で実現することができるが、このような実現は本開示の範囲を超えていない。
【０１６７】
当業者であれば、便利かつ簡潔に説明するために、上述したシステム、装置及びユニットの具体的な動作プロセスについて前述の方法実施例における対応するプロセスを参照できることが自明であるため、ここで説明を省略する。
【０１６８】
本願の実施例で、開示された装置及び方法は他の方式により実現されてもよいと理解すべきである。例えば、上述した装置実施例は例示的なものに過ぎず、例えば、上記ユニットの区分は論理上の機能の区分に過ぎず、実際に実現する場合、他の区分方式も可能であり、例えば複数のユニット又は部材は結合されてもよく、別のシステムに集積されてもよく、又はいくつかの特徴を無視してもよく、実行しなくてもよい。また、示された又は議論された相互結合又は直接結合又は通信接続は、いくつかのインタフェースを経由して実現することができ、装置又はユニット間の間接結合又は通信接続は、電気的形態、機械的形態であってもよく、他の形態であってもよい。
【０１６９】
上述した別個の部材として説明されたユニットは、物理的に別個であってもよく、物理的に別個ではなくてもよく、ユニットとして示された部材は、物理的ユニットであってもなくてもよく、物理的ユニットでなくてもよく、１つの位置に位置してもよく、複数のネットワークユニットに分布してもよい。実際の需要に応じて、それらユニットの一部又は全部を選択して本実施例の技術手段の目的を達成することができる。
【０１７０】
また、本開示の各実施例において、各機能ユニットは１つの処理ユニットに集積されてもよく、各ユニットが物理的に別個に存在してもよく、２つ以上のユニットが１つのユニットに集積されてもよい。
【０１７１】
上記機能は、ソフトウェア機能ユニットの形態で実現され、かつ独立した製品として販売又は使用されれば、コンピュータ読み取り可能な記憶媒体に記憶されてもよい。このような理解に基づいて、本開示の技術的解決手段の要旨、又は従来技術に寄与する部分、又は該技術的解決手段の一部は、コンピュータ装置（パーソナルコンピュータ、サーバ、又はネットワーク装置等であってよい）に本開示の各実施例に記載の方法の全部又は一部のステップを実行させるためのいくつかの命令を含む、記憶媒体に記憶されているソフトウェア製品の形態で実現されてよい。前述の記憶媒体は、ＵＳＢメモリ、モバイルハードディスク、ＲＯＭ、ＲＡＭ、ディスク又は光ディスクなどの、プログラムコードを記憶できる様々な媒体を含む。
【０１７２】
なお、本開示の装置及び方法において、明らかに、各部材又は各ステップは分解及び／又は再組み合わせすることができる。これらの分解及び／又は再組み合わせは本開示の等価の解決手段と見なすべきである。上記一連の処理を実行するステップは説明された順番に従って時間順に実行してもよいが、必ずしも時間順に従って実行する必要がなく、いくつかのステップは並行で又は互いに独立して実行してもよい。当業者であれば理解できるように、本開示の方法及び装置の全部又はいずれかのステップや部材は、任意の計算装置（プロセッサ、記憶媒体などを含む）又は計算装置のネットワークにおいて、ハードウェア、ファームウェア、ソフトウェア又はそれらの組み合わせにより実現でき、これは、当業者が本開示の説明を読んだ後に彼らの基本的なプログラミングスキルにより実現できることである。
【０１７３】
したがって、本開示の目的は、任意の計算装置で１つのプログラム又は一組のプログラムを実行して達成することもできる。上記計算装置は、公知の汎用装置であってよい。したがって、本開示の目的は、上記方法又は装置を実現するプログラムコードを含むプログラム製品を提供するだけで達成することもできる。すなわち、このようなプログラム製品も本開示を構成し、このようなプログラム製品が記憶された記憶媒体も本開示を構成する。明らかに、上記記憶媒体は任意の公知の記憶媒体又は将来開発される任意の記憶媒体であってよい。なお、本開示の装置及び方法において、明らかに、各部材又は各ステップは分解及び／又は再組み合わせすることができる。これらの分解及び／又は再組み合わせは本開示の等価の解決手段と見なすべきである。そして、上記一連の処理を実行するステップは説明された順番に従って時間順に実行されてもよいが、必ずしも時間順に従って実行する必要がない。いくつかのステップは並行で又は互いに独立して実行してもよい。
【０１７４】
上述したものは、本開示の好ましい実施形態であり、なお、当業者であれば、本開示に記載の原理から逸脱しない前提でいくつかの改良と修飾を行うことが可能であり、これらの改良と修飾も本開示の保護範囲に含まれる。
【図１】
2021510263.tif 000013
【図２】
2021510263.tif 000014
【図３】
2021510263.tif 000015
【図４】
2021510263.tif 000016
【図５】
2021510263.tif 000017
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
ネットワーク装置側に適用される復調基準信号の伝送方法であって、
トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定することと、
対応するＤＭＲＳを前記トラフィックチャネルに設定すると決定したとき、前記トラフィックチャネルに目標数のＤＭＲＳを設定することと、
前記目標数のＤＭＲＳをターゲット伝送リソースにマッピングして伝送することとを含む、復調基準信号の伝送方法。
【請求項２】
前記トラフィックチャネルのマッピングタイプが第１のマッピングタイプであり、かつＤＭＲＳのシンボル数が１である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１又は２である第１の値であるとき、対応するＤＭＲＳを前記トラフィックチャネルに設定しないと決定すること、
前記トラフィックチャネルで伝送されるシンボル数が３又は４である第２の値であるとき、制御チャネル、ガードインターバル及び予約リソースのうち少なくとも１つが占める総リソースのシンボル数が第２の値以上であれば、対応するＤＭＲＳを前記トラフィックチャネルに設定せず、第２の値以上でなければ、シンボル数が１である１つのＤＭＲＳを前記トラフィックチャネルに設定すると決定すること、及び
前記トラフィックチャネルで伝送されるシンボル数が５、６又は７である第３の値であるとき、シンボル数が１である１つのＤＭＲＳを前記トラフィックチャネルに設定すると決定することのうち少なくとも１つを含む、請求項１に記載の復調基準信号の伝送方法。
【請求項３】
前記トラフィックチャネルのマッピングタイプが第１のマッピングタイプであり、かつＤＭＲＳのシンボル数が２である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１〜５のいずれかである第４の値であるとき、対応するＤＭＲＳを前記トラフィックチャネルに設定しないと決定すること、及び
前記トラフィックチャネルで伝送されるシンボル数が６又は７である第５の値であるとき、シンボル数が２である１つのＤＭＲＳを前記トラフィックチャネルに設定すると決定することのうち少なくとも１つを含む、請求項１に記載の復調基準信号の伝送方法。
【請求項４】
前記目標数のＤＭＲＳをターゲット伝送リソースにマッピングして伝送するステップは、
前記トラフィックチャネルに設定された１つのＤＭＲＳを、前記トラフィックチャネルが位置するタイムスロットの２番目又は３番目のシンボルにマッピングして伝送することを含む、請求項２又は３に記載の復調基準信号の伝送方法。
【請求項５】
前記トラフィックチャネルのマッピングタイプが第２のマッピングタイプであり、かつＤＭＲＳのシンボル数が１である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１〜５のいずれかである第６の値であるとき、シンボル数が１である１つのＤＭＲＳを前記トラフィックチャネルに設定すると決定すること、及び
前記トラフィックチャネルで伝送されるシンボル数が６又は７である第７の値であるとき、シンボル数が１である１つ又は２つのＤＭＲＳを前記トラフィックチャネルに設定すると決定することのうち少なくとも１つを含む、請求項１に記載の復調基準信号の伝送方法。
【請求項６】
前記トラフィックチャネルのマッピングタイプが第２のマッピングタイプであり、かつＤＭＲＳのシンボル数が２である場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記トラフィックチャネルで伝送されるシンボル数が１〜５のいずれかである第８の値であるとき、対応するＤＭＲＳを前記トラフィックチャネルに設定しないと決定すること、及び
前記トラフィックチャネルで伝送されるシンボル数が６又は７である第９の値であるとき、シンボル数が２である１つのＤＭＲＳを前記トラフィックチャネルに設定すると決定することのうち少なくとも１つを含む、請求項１に記載の復調基準信号の伝送方法。
【請求項７】
前記目標数のＤＭＲＳをターゲット伝送リソースにマッピングして伝送するステップは、
目標数が１であるとき、前記トラフィックチャネルに設定された１つのＤＭＲＳを、前記トラフィックチャネルが位置する、１つのタイムスロットより少ないシンボルを占めるタイムドメイン伝送ユニットの０番目のシンボルにマッピングして伝送することと、
目標数が２であるとき、前記トラフィックチャネルに設定された２つのＤＭＲＳのうち第１のＤＭＲＳを、前記トラフィックチャネルが位置するタイムドメイン伝送ユニットの０番目のシンボルにマッピングして伝送し、２つのＤＭＲＳのうち第２のＤＭＲＳを、前記トラフィックチャネルが位置するタイムドメイン伝送ユニットの４番目のシンボルにマッピングして伝送することとを含む、請求項５又は６に記載の復調基準信号の伝送方法。
【請求項８】
前記目標数のＤＭＲＳをターゲット伝送リソースにマッピングして伝送するステップは、
目標数が１であるとき、制御チャネル又は予約リソースが占めるリソースと、前記トラフィックチャネルが占めるリソースの少なくとも一部とが重なれば、前記目標数のＤＭＲＳを前記制御チャネル又は予約リソースの後に位置する１番目のシンボルにマッピングすることを含み、
目標数が２であるとき、制御チャネル又は予約リソースが占めるリソースと、前記トラフィックチャネルが占めるリソースの少なくとも一部とが重なれば、前記トラフィックチャネルに設定された２つのＤＭＲＳのうち第１のＤＭＲＳを、前記制御チャネル又は予約リソースの後に位置する１番目のシンボルである第１のターゲット伝送リソースにマッピングして伝送することと、
２つのＤＭＲＳのうち第２のＤＭＲＳを、前記第１のターゲット伝送リソースの後に位置しかつ前記第１のターゲット伝送リソースの後の４番目のシンボルである第２のターゲット伝送リソースにマッピングし、もし前記第２のターゲット伝送リソースが前記トラフィックチャネルが占めるリソースの後に位置すれば、前記第２のＤＭＲＳを廃棄し、その後に位置しなければ、前記第２のターゲット伝送リソースにより第２のＤＭＲＳの伝送を行うこととを含む、請求項５に記載の復調基準信号の伝送方法。
【請求項９】
前記トラフィックチャネルは、物理アップリンク共有チャネルＰＵＳＣＨ又は物理ダウンリンク共有チャネルＰＤＳＣＨを含む、請求項１に記載の復調基準信号の伝送方法。
【請求項１０】
前記トラフィックチャネルがＰＤＳＣＨであり、かつ前記ＰＤＳＣＨのマッピングタイプが第２のマッピングタイプである場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記ＰＤＳＣＨで伝送されるシンボル数が８である第１０の値であるとき、シンボル数が１である１つ又は２つのＤＭＲＳを前記ＰＤＳＣＨに設定するか又はシンボル数が２である１つのＤＭＲＳを前記ＰＤＳＣＨに設定すると決定すること、及び
前記ＰＤＳＣＨで伝送されるシンボル数が９〜１３のいずれかである第１１の値であるとき、第１のマッピングタイプのＤＭＲＳ設定に従ってＤＭＲＳを前記ＰＤＳＣＨに設定すると決定することのうち少なくとも１つを含み、
前記ＰＤＳＣＨで伝送されるシンボル数が第１０の値である場合、前記目標数のＤＭＲＳをターゲット伝送リソースにマッピングして伝送するステップは、
目標数が１であるとき、前記ＰＤＳＣＨに設定された１つのＤＭＲＳを、前記ＰＤＳＣＨが位置する、１つのタイムスロットより少ないシンボルを占めるタイムドメイン伝送ユニットの０番目のシンボルにマッピングして伝送すること、及び
目標数が２であるとき、前記ＰＤＳＣＨに設定された２つのＤＭＲＳのうち第１のＤＭＲＳを、前記ＰＤＳＣＨが位置するタイムドメイン伝送ユニットの０番目のシンボルにマッピングして伝送し、２つのＤＭＲＳのうち第２のＤＭＲＳを、前記ＰＤＳＣＨが位置するタイムドメイン伝送ユニットの４番目のシンボルにマッピングして伝送することのうち少なくとも１つを含む、請求項９に記載の復調基準信号の伝送方法。
【請求項１１】
前記トラフィックチャネルがＰＤＳＣＨであり、かつ前記ＰＤＳＣＨのマッピングタイプが第２のマッピングタイプである場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記ＰＤＳＣＨで伝送されるシンボル数が８〜１１のいずれかである第１２の値であるとき、シンボル数が１である１つ、２つ又は３つのＤＭＲＳを前記ＰＤＳＣＨに設定すると決定すること、及び
前記ＰＤＳＣＨで伝送されるシンボル数が１２又は１３である第１３の値であるとき、シンボル数が１である１つ、２つ、３つ又は４つのＤＭＲＳを前記ＰＤＳＣＨに設定すると決定することのうち少なくとも１つを含む、請求項９に記載の復調基準信号の伝送方法。
【請求項１２】
前記目標数のＤＭＲＳをターゲット伝送リソースにマッピングして伝送するステップは、
目標数が１であるとき、前記ＰＤＳＣＨに設定された１つのＤＭＲＳを、前記ＰＤＳＣＨが位置する、１つのタイムスロットより少ないシンボルを占めるタイムドメイン伝送ユニットの０番目のシンボルにマッピングして伝送すること、及び
目標数が２以上であるとき、前記ＰＤＳＣＨに設定された目標数のＤＭＲＳの第１のＤＭＲＳを、前記ＰＤＳＣＨが位置するタイムドメイン伝送ユニットの０番目のシンボルにマッピングして伝送し、目標数のＤＭＲＳのうち最後から１番目のＤＭＲＳを、前記ＰＤＳＣＨが位置するタイムドメイン伝送ユニットの最後から２番目又は３番目のシンボルにマッピングして伝送し、目標数のＤＭＲＳのうち他のＤＭＲＳを１番目のＤＭＲＳと最後から１番目のＤＭＲＳとの間の等間隔のシンボルにマッピングして伝送することのうち少なくとも１つを含み、
前記目標数のＤＭＲＳのうち最後から１番目のＤＭＲＳを、前記ＰＤＳＣＨが位置するタイムドメイン伝送ユニットの最後から２番目又は３番目のシンボルにマッピングして伝送するステップは、
前記ＰＤＳＣＨで伝送されるシンボル数が８、１０又は１２であるとき、目標数のＤＭＲＳのうち最後から１番目のＤＭＲＳを、前記ＰＤＳＣＨが位置するタイムドメイン伝送ユニットの最後から２番目のシンボルにマッピングして伝送すること、及び
前記ＰＤＳＣＨで伝送されるシンボル数が９、１１又は１３であるとき、目標数のＤＭＲＳのうち最後から１番目のＤＭＲＳを、前記ＰＤＳＣＨが位置するタイムドメイン伝送ユニットの最後から３番目のシンボルにマッピングして伝送することのうち少なくとも１つを含む、請求項１１に記載の復調基準信号の伝送方法。
【請求項１３】
前記トラフィックチャネルがＰＤＳＣＨであり、かつ前記ＰＤＳＣＨのマッピングタイプが第２のマッピングタイプである場合、前記トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定するステップは、
前記ＰＤＳＣＨで伝送されるシンボル数が８〜１３のいずれかである第１４の値であるとき、シンボル数が２である１つ又は２つのＤＭＲＳを前記ＰＤＳＣＨに設定すると決定することを含み、
前記目標数のＤＭＲＳをターゲット伝送リソースにマッピングして伝送するステップは、
目標数が１であるとき、前記ＰＤＳＣＨに設定された１つのＤＭＲＳを、前記ＰＤＳＣＨが位置する、１つのタイムスロットより少ないシンボルを占めるタイムドメイン伝送ユニットの０番目のシンボルにマッピングして伝送すること、及び
目標数が２であるとき、前記ＰＤＳＣＨに設定された２つのＤＭＲＳのうち第１のＤＭＲＳを、前記ＰＤＳＣＨが位置するタイムドメイン伝送ユニットの０番目のシンボルにマッピングして伝送し、２つのＤＭＲＳのうち第２のＤＭＲＳを、前記ＰＤＳＣＨが位置するタイムドメイン伝送ユニットの最後から３番目又は４番目のシンボルにマッピングして伝送することのうち少なくとも１つを含み、
２つのＤＭＲＳのうち第２のＤＭＲＳを、前記ＰＤＳＣＨが位置するタイムドメイン伝送ユニットの最後から３番目又は４番目のシンボルにマッピングして伝送するステップは、
前記ＰＤＳＣＨで伝送されるシンボル数が８、１０又は１２であるとき、２つのＤＭＲＳのうち第２のＤＭＲＳを、前記ＰＤＳＣＨが位置するタイムドメイン伝送ユニットの最後から３番目のシンボルにマッピングして伝送すること、及び
前記ＰＤＳＣＨで伝送されるシンボル数が９、１１又は１３であるとき、２つのＤＭＲＳのうち第２のＤＭＲＳを、前記ＰＤＳＣＨが位置するタイムドメイン伝送ユニットの最後から４番目のシンボルにマッピングして伝送することのうち少なくとも１つを含む、請求項９に記載の復調基準信号の伝送方法。
【請求項１４】
前記目標数のＤＭＲＳをターゲット伝送リソースにマッピングして伝送するステップは、
前記目標数のＤＭＲＳをそれぞれ目標数のターゲット伝送サブリソースにマッピングすることと、
少なくとも一部のリソースが前記トラフィックチャネルが占めるリソースの後に位置するターゲット伝送サブリソースに対応するＤＭＲＳを廃棄することとを含み、または、
目標数のＤＭＲＳを前記トラフィックチャネルに設定するステップは、
前記トラフィックチャネルのマッピングタイプ、伝送されるシンボル数、復調基準信号ＤＭＲＳのシンボル数、及び制御チャネル、ガードインターバル及び予約リソースのうち少なくとも１つが占める総リソースのシンボル数に基づいて、前記トラフィックチャネルに設定するＤＭＲＳの目標数を決定し、対応するＤＭＲＳを前記トラフィックチャネルに設定することを含む、請求項１に記載の復調基準信号の伝送方法。
【請求項１５】
トラフィックチャネルのマッピングタイプ、伝送されるシンボル数及び復調基準信号ＤＭＲＳのシンボル数に基づいて、対応するＤＭＲＳを前記トラフィックチャネルに設定するか否かを決定する決定モジュールと、
対応するＤＭＲＳを前記トラフィックチャネルに設定すると決定したとき、前記トラフィックチャネルに目標数のＤＭＲＳを設定する設定モジュールと、
前記目標数のＤＭＲＳをターゲット伝送リソースにマッピングして伝送する伝送モジュールとを含む、ネットワーク装置。
【国際調査報告】
2021510263.tif 000018
2021510263.tif 000019
2021510263.tif 000020
2021510263.tif 000021